(57)【特許請求の範囲】
【請求項１】
前面枠と、該前面枠に形成された開口部に着脱可能に嵌め込まれ、透明な材質からなる遊技盤と、前記前面枠に開閉可能に設けられ、前記遊技盤の前側を覆う透明部材を保持する透明部材保持枠と、前記遊技盤の後方に所定間隔離して配置され、遊技に関わる複数の変動表示ゲームを実行する変動表示装置と、を備え、前記遊技盤の前方から変動表示装置の表示領域を視認可能とし、
前記遊技盤の前面には、遊技球の流下方向に変化を与える第１障害部材を前方に延出して設け、前記遊技盤の前面と前記透明部材の裏面との間に第１遊技領域を形成し、
該第１遊技領域の下部に、遊技球を受け入れない閉状態と遊技球を受け入れる開状態とに変換可能な特別変動入賞装置を設け、前記変動表示ゲームの結果が特別結果態様となった場合には、前記特別変動入賞装置を所定回数開放させる特別遊技状態を実行する遊技機において、
前記遊技盤の裏面には、遊技球の流下方向に変化を与える第２障害部材と、前記変動表示装置の前方の視認領域を区画する視認領域区画壁とを、後方に延出して設け、
前記遊技盤と前記変動表示装置の間には、遊技盤と変動表示装置との間の領域を前後に区画する透明な材質からなる透明区画壁を設け、
前記遊技盤の裏面と前記透明区画壁の前面と視認領域区画壁との間に第２遊技領域を形成し、
前記変動表示ゲームは、第１特図変動表示ゲームと、第２特図変動表示ゲームと、を含み、
第１特図始動入賞口を前記第１遊技領域内の前記特別変動入賞装置よりも高い位置に設けるとともに、第２特図始動入賞口を前記第２遊技領域内に設け、
前記第１特図始動入賞口への入賞が前記第１特図変動表示ゲームの始動条件となり、前記第２特図始動入賞口への入賞が前記第２特図変動表示ゲームの始動条件となり、
前記第１遊技領域の上部に前記遊技盤の前面から突出するように取り付けられ、流下する遊技球を左右に振り分ける第１鎧部材と、前記第１遊技領域に配された第１鎧部材と前記遊技盤を挟んで対向するように、前記第２遊技領域の上部に遊技盤の裏面から突出するように取り付けられた第２鎧部材と、を備え、
前記第１鎧部材の上部かつ左右方向の中央部には、前記遊技盤を前後に貫通して前記第１遊技領域から前記第２遊技領域へ遊技球を誘導可能な第１誘導路が形成され、
前記視認領域区画壁の下側は前記第２遊技領域の底壁をなし、左右から中央部に向かって下る傾斜面とされ、この傾斜面の下流端部に、前記遊技盤を前後に貫通して前記第２遊技領域を流下した遊技球を前記第１遊技領域に誘導する第２誘導路が形成され、
前記第２遊技領域の下端部に位置する前記第２誘導路は、前記第１特図始動入賞口よりも低い位置でかつ前記特別変動入賞装置の上方位置に形成されており、前記第２遊技領域を流下した遊技球も前記特別変動入賞装置に入賞可能であることを特徴とする遊技機。
【請求項２】
前記第１特図始動入賞口および前記第２特図始動入賞口は、第１の状態と、該第１の状態よりも遊技球が流入し易く開いた第２の状態とに変換可能な第１変動入賞装置および第２変動入賞装置によりそれぞれ構成し、
前記遊技盤の前面側に第１普図変動表示ゲームを表示する第１普図変動表示器および第２普図変動表示ゲームを表示する第２普図変動表示器を設け、
前記第１遊技領域内に第１普図始動ゲートを、前記第２遊技領域内に第２普図始動ゲートを、それぞれ設け、
前記第１普図始動ゲートで遊技球の通過が検出されることに基づき第１普図変動表示ゲームの始動条件が成立し、該第１普図変動表示ゲームの結果が所定の停止表示態様となった場合には前記第１変動入賞装置が前記第１の状態から前記第２の状態に変化し、
前記第２普図始動ゲートで遊技球の通過が検出されることに基づき第２普図変動表示ゲームの始動条件が成立し、該第２普図変動表示ゲームの結果が所定の停止表示態様となった場合には前記第２変動入賞装置が前記第１の状態から前記第２の状態に変化することを特徴とする請求項１に記載の遊技機。
【発明の詳細な説明】
【技術分野】
【０００１】
本発明は、透明な材質からなる遊技盤を備え、遊技盤の後方に所定間隔離して配置された変動表示装置を遊技盤の前方から視認可能とした遊技機に関する。
【背景技術】
【０００２】
近年の遊技機、例えば、パチンコ遊技機においては、遊技演出の効果を増すために、表示装置を大型化したものが提案されている。具体的には、前面枠に大型液晶パネル等で構成された変動表示装置を設け、該変動表示装置を前面枠の横幅と略等しい横幅に設定し、変動表示装置の前方に透光性部材で形成された遊技盤を装着し、遊技者が該遊技盤を介して変動表示装置の表示領域を視認できるように構成され、透明遊技盤に釘を植設することで大型の変動表示装置を設けても遊技球が流下する遊技領域を確保できるパチンコ遊技機が提案されている（例えば、特許文献１参照）。
【特許文献１】特開２００５−１３１３２４号公報
【発明の開示】
【発明が解決しようとする課題】
【０００３】
しかし、遊技領域略中央の主に変動表示ゲームを視認する変動表示ゲーム視認領域は、視認性をよくするために、上部に遊技球を左右に振り分ける誘導部材を設け、遊技球が流下しないようにされており、遊技球が流下する遊技領域は狭くなってしまっている。
このように遊技球が流下する遊技領域が狭くなると、パチンコ本来の興趣である遊技球の転動流下におもしろみが無くなってしまうという問題がある。
そのため、遊技領域をもっと広くしたいという要望がある。
【０００４】
本発明の目的は、透明な材質からなる遊技盤を備え、遊技盤の後方に所定間隔離して配置された変動表示装置を遊技盤の前方から視認可能とした遊技機において、遊技領域を広くすることである。
【課題を解決するための手段】
【０００５】
以上の課題を解決するため、請求項１に記載の発明は、前面枠と、該前面枠に形成された開口部に着脱可能に嵌め込まれ、透明な材質からなる遊技盤と、前記前面枠に開閉可能に設けられ、前記遊技盤の前側を覆う透明部材を保持する透明部材保持枠と、前記遊技盤の後方に所定間隔離して配置され、遊技に関わる複数の変動表示ゲームを実行する変動表示装置と、を備え、前記遊技盤の前方から変動表示装置の表示領域を視認可能とし、
前記遊技盤の前面には、遊技球の流下方向に変化を与える第１障害部材を前方に延出して設け、前記遊技盤の前面と前記透明部材の裏面との間に第１遊技領域を形成し、
該第１遊技領域の下部に、遊技球を受け入れない閉状態と遊技球を受け入れる開状態とに変換可能な特別変動入賞装置を設け、前記変動表示ゲームの結果が特別結果態様となった場合には、前記特別変動入賞装置を所定回数開放させる特別遊技状態を実行する遊技機において、
前記遊技盤の裏面には、遊技球の流下方向に変化を与える第２障害部材と、前記変動表示装置の前方の視認領域を区画する視認領域区画壁とを、後方に延出して設け、
前記遊技盤と前記変動表示装置の間には、遊技盤と変動表示装置との間の領域を前後に区画する透明な材質からなる透明区画壁を設け、
前記遊技盤の裏面と前記透明区画壁の前面と視認領域区画壁との間に第２遊技領域を形成し、
前記変動表示ゲームは、第１特図変動表示ゲームと、第２特図変動表示ゲームと、を含み、
第１特図始動入賞口を前記第１遊技領域内の前記特別変動入賞装置よりも高い位置に設けるとともに、第２特図始動入賞口を前記第２遊技領域内に設け、
前記第１特図始動入賞口への入賞が前記第１特図変動表示ゲームの始動条件となり、前記第２特図始動入賞口への入賞が前記第２特図変動表示ゲームの始動条件となり、
前記第１遊技領域の上部に前記遊技盤の前面から突出するように取り付けられ、流下する遊技球を左右に振り分ける第１鎧部材と、前記第１遊技領域に配された第１鎧部材と前記遊技盤を挟んで対向するように、前記第２遊技領域の上部に遊技盤の裏面から突出するように取り付けられた第２鎧部材と、を備え、
前記第１鎧部材の上部かつ左右方向の中央部には、前記遊技盤を前後に貫通して前記第１遊技領域から前記第２遊技領域へ遊技球を誘導可能な第１誘導路が形成され、
前記視認領域区画壁の下側は前記第２遊技領域の底壁をなし、左右から中央部に向かって下る傾斜面とされ、この傾斜面の下流端部に、前記遊技盤を前後に貫通して前記第２遊技領域を流下した遊技球を前記第１遊技領域に誘導する第２誘導路が形成され、
前記第２遊技領域の下端部に位置する前記第２誘導路は、前記第１特図始動入賞口よりも低い位置でかつ前記特別変動入賞装置の上方位置に形成されており、前記第２遊技領域を流下した遊技球も前記特別変動入賞装置に入賞可能であることを特徴とする。
【０００６】
ここで、「第１障害部材」、「第２障害部材」は、例えば、釘などを遊技盤に取り付けたものでも良いし、合成樹脂で遊技盤と一体に形成したものでも良い。
また、透明区画壁の裏面と変動表示装置は離れていても良いし、接していても良い。
【０００７】
請求項１に記載の発明によれば、透明な材質からなる遊技盤の前面には、遊技球の流下方向に変化を与える第１障害部材を前方に延出して設けて第１遊技領域を形成し、遊技盤の裏面には、遊技球の流下方向に変化を与える第２障害部材を後方に延出して設けて第２遊技領域を形成したので、遊技領域を広くすることができる。
また、遊技盤の表側と裏側とでそれぞれ別の遊技球の流下態様を遊技者に見せることができ、遊技の興趣を向上させることができる。
また、遊技盤と変動表示装置の間には、遊技盤と変動表示装置との間の領域を前後に区画する透明な材質からなる透明区画壁を設けたので、透明区画壁に障害部材や装飾部材などを設けることもでき、第２遊技領域をより興趣の高いものにすることができる。
また、請求項１に記載の発明によれば、第１遊技領域を流下する遊技球が、第１誘導路を通って第２遊技領域へ流入可能とされ、第２鎧部材は、第１誘導路を通って第１遊技領域から第２遊技領域へ流入した遊技球を左右に振り分け、第２遊技領域の中央部における画像表示面の視認性を良くすることができる。
さらに、請求項１に記載の発明によれば、遊技盤の裏面側から変動表示装置側へ向けて延出され、変動表示装置の前方の視認領域を区画する視認領域区画壁を設け、遊技盤裏面と透明区画壁と視認領域区画壁とで区画された領域を第２遊技領域としたので、視認領域区画壁と第２遊技領域における上下左右の遊技領域区画壁を兼用でき、構成を簡略化することができる。
【０００８】
請求項２に記載の発明は、請求項１に記載の遊技機であって、前記第１特図始動入賞口および前記第２特図始動入賞口は、第１の状態と、該第１の状態よりも遊技球が流入し易く開いた第２の状態とに変換可能な第１変動入賞装置および第２変動入賞装置によりそれぞれ構成し、
前記遊技盤の前面側に第１普図変動表示ゲームを表示する第１普図変動表示器および第２普図変動表示ゲームを表示する第２普図変動表示器を設け、
前記第１遊技領域内に第１普図始動ゲートを、前記第２遊技領域内に第２普図始動ゲートを、それぞれ設け、
前記第１普図始動ゲートで遊技球の通過が検出されることに基づき第１普図変動表示ゲームの始動条件が成立し、該第１普図変動表示ゲームの結果が所定の停止表示態様となった場合には前記第１変動入賞装置が前記第１の状態から前記第２の状態に変化し、
前記第２普図始動ゲートで遊技球の通過が検出されることに基づき第２普図変動表示ゲームの始動条件が成立し、該第２普図変動表示ゲームの結果が所定の停止表示態様となった場合には前記第２変動入賞装置が前記第１の状態から前記第２の状態に変化することを特徴とする。
【０００９】
請求項２に記載の発明によれば、第１普図変動表示ゲームの結果が所定の停止表示態様となった場合には第１変動入賞装置が第１の状態から前記第２の状態に変化し、第２普図変動表示ゲームの結果が所定の停止表示態様となった場合には第２変動入賞装置が第１の状態から第２の状態に変化するので、遊技をより興趣の高いものにすることができる。
【発明の効果】
【００１８】
本発明によれば、透明な材質からなる遊技盤の前面には、遊技球の流下方向に変化を与える第１障害部材を前方に延出して設けて第１遊技領域を形成し、遊技盤の裏面には、遊技球の流下方向に変化を与える第２障害部材を後方に延出して設けて第２遊技領域を形成したので、遊技領域を広くすることができる。
また、遊技盤の表側と裏側とでそれぞれ別の遊技球の流下態様を遊技者に見せることができ、遊技の興趣を向上させることができる。
また、遊技盤と変動表示装置の間には、遊技盤と変動表示装置との間の領域を前後に区画する透明な材質からなる透明区画壁を設けたので、透明区画壁に障害部材や装飾部材などを設けることもでき、第２遊技領域をより興趣の高いものにすることができる。
【発明を実施するための最良の形態】
【００１９】
以下、この発明の実施形態について図面を参照して説明する。
ここでは、本発明にかかる遊技機の適例としてのパチンコ遊技機について図１から図１１を用いて説明を行う。
【００２０】
図１，２に示すように、本実施形態の遊技機１００は、矩形枠状に構成された機枠１１０を備え、機枠１１０の前面側から見て左側の側部には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７３を備える裏機構枠１６０の配設を可能としている。
【００２１】
前面枠１２０は、当該前面枠１２０に備えられる各種部材等の取付用のベースとなる前面枠本体１３０と、当該前面枠本体１３０に対して、その前面側に回動可能に軸支された透明部材保持枠１４０と、前面枠本体１３０の前面の透明部材保持枠１４０の下側に取り付けられた発射操作ユニット１５０と、前面枠本体１３０の裏面側に回動可能に軸支され、表示ユニット１７３を備える裏機構枠１６０とを有する。
【００２２】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２３】
また、前面枠本体１３０の遊技盤１が嵌め込まれた開口部、すなわち、前面枠本体１３０の中央より少し下側から上端部にわたる部分には、前面枠本体１３０の前側を覆うように前記透明部材保持枠１４０が配置されており、遊技盤１の前面と前記透明部材保持枠１４０に嵌め込まれた透明部材としてのガラス板１４１との間で、遊技盤１の前面に設けられたガイドレール２に囲まれた部分が、遊技球が発射されて流下する第１遊技領域３とされている。
【００２４】
また、透明部材保持枠１４０の一方の側部（遊技機１００の前面側から見て左側の側部）は、前面枠本体１３０の一方の側部に回動可能に軸支されて、扉状に開閉自在とされ、透明部材保持枠１４０を開くことにより、遊技盤１の前面側の第１遊技領域３の前側を開放可能となっている。
【００２５】
透明部材保持枠１４０には、前面枠本体１３０の開口部をほぼ閉塞するように、該開口部に嵌め込まれた遊技盤１との間に遊技球が流下可能な第１遊技領域３となる間隔を開けて二重のガラス板１４１が固定されている。そして、透明部材保持枠１４０において、遊技機１００の前側からガラス板１４１を介して遊技盤１の前面側の少なくとも第１遊技領域３の部分が視認可能となっている。また、透明部材保持枠１４０の前面であって、ガラス板１４１が固定されて第１遊技領域３を視認可能とする部分の周囲には、枠装飾装置５７（図１１に図示）としてのランプやＬＥＤなどが設けられている。
【００２６】
また、前面枠本体１３０の前面側の透明部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネル１５０ａとその下の下部パネル１５０ｂとからなる。開閉パネル１５０ａは、排出された遊技球を貯留するとともに、遊技球を発射する発射装置６０（図１１に図示）に遊技球を送る上皿１５０ｃを有している。この上皿１５０ｃの周囲には、遊技者が操作可能な演出用ボタン５９（図１１に図示）が設けられている。また、開閉パネル１５０ａの下側の下部パネル１５０ｂには、上皿１５０ｃに収容しきれない遊技球を収容する下皿１５０ｄ及び灰皿と、第１遊技領域３に向けての遊技球の発射操作を行うとともに、該第１遊技領域３に遊技球を発射する際の発射勢を調節するための操作ハンドル１５０ｅ、音声を出力するスピーカ５８などが設けられている。
【００２７】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２８】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２９】
図１，２および図６から９に示すように、裏機構枠１６０は、裏機構枠本体１６１と、画像を表示する表示ユニット１７３を案内するためのガイド部１６２とを有し、表示ユニット１７３の他、表示ユニット１７３を制御する演出制御装置３３、賞球などを排出する排出装置１９０と排出装置１９０に遊技球を供給する貯留タンク１９２が設けられている。
【００３０】
上述したように、裏機構枠１６０の前から見て左側の端部は、前面枠本体１３０の裏面であって遊技機１００の裏面側から見て右側の側部に回動可能に軸支されており、図１，２に示すように、前面枠本体１３０に形成されて遊技盤１が嵌め込まれる開口部の上側略半分を裏面側から覆って遊技盤１の裏面に臨む状態から、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設された状態で遊技盤１の後方位置に配設されることとなる。なお、裏機構枠１６０が、遊技盤１が嵌め込まれる開口部の上側略半分を裏面側から覆った状態においては、遊技盤裏面における図７に示す演出データ装置３２が配設される部位を除く遊技盤裏面側の上方部を覆うようになっている。そして、裏機構枠本体１６１において遊技盤１と平行に配され、遊技盤１の裏面側を覆うように配される部分が後面部１６１ａとなる。
【００３１】
図４に示すように、裏機構枠本体１６１は所定の厚みを有し、この裏機構枠本体１６１の前後面に種々の機構体が取り付けられている。裏機構枠本体１６１の前面には、表示ユニット１７３を前側に付勢する表示ユニット付勢手段をなす付勢部材としての圧縮コイルばね１８２を収納する付勢部材収納部１８１や、裏機構枠本体１６１を補強するための補強リブ１６４が形成されている。また、後述するように裏機構枠本体１６１の後面部１６１ａの背面には、演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００３２】
なお、裏機構枠本体１６１の上部には、後述する貯留タンク載置部１８８が形成されており、この部分には周囲壁１８７が形成されていない。また、裏機構枠本体１６１の前面であって上部には、上端部から上下方向に所定幅離れた位置に、周囲壁１８７と平行に左右方向に延在する隔壁１８９が形成されており、裏機構枠本体１６１の前面側に形成された凹部の上下幅が狭められている。
【００３３】
また、この隔壁１８９は、裏機構枠本体１６１の左右端部に沿って形成された周囲壁１８７から所定幅おいた位置で上下方向に沿って上方へ延在するように直角に屈折している。すなわち、裏機構枠本体１６１の前面であって上部には、左右の周囲壁１８７に隣接して、所定の左右幅を有する下側に開口した溝状の凹部１６９ａ，１６９ａが形成されている。この所定の左右幅とは、後述する表示ユニット１７３の上部に形成された被案内部１８の左右幅より若干広い幅であり、この部分が被案内部１８を前後方向に案内する案内部１６９の一部をなす。
【００３４】
また、上述した溝状の凹部１６９ａ，１６９ａと上下に対向するように、裏機構枠本体１６１の前面であって下部には、左右の周囲壁１８７に隣接して、所定の左右幅を有する上側に開口した溝状の凹部１６９ａ，１６９ａが形成されている。この溝状の凹部１６９ａ，１６９ａの所定の左右幅は、後述する表示ユニット１７３の下部に形成された被案内部１８の左右幅より若干広い幅であり、この部分も被案内部１８を前後方向に案内する案内部１６９の一部をなす。
【００３５】
付勢部材収納部１８１は、表示ユニット付勢手段としての圧縮コイルばね１８２の外径と略同じ内径を有する円筒形の凹部で、裏機構枠本体１６１の左右方向の中心に沿って上下に２つ設けられている。この付勢部材収納部１８１に収容される圧縮コイルばね１８２の前側の端部には、表示ユニット１７３の裏面に当接する押圧部材１８６が取り付けられている。この押圧部材１８６は、圧縮コイルばね１８２の内径と略等しい径を有する円柱状の挿入部１８６ａと、挿入部１８６ａの一端部に形成され、挿入部１８６ａより大きい径を有する円形板状の当接部１８６ｂからなり、挿入部１８６ａを圧縮コイルばね１８２に挿入することで、当接部１８６ｂが前側に配され、表示ユニット１７３の裏面に当接するようになっている。
【００３６】
また、裏機構枠本体１６１の前面には、付勢部材収納部１８１が存在する部分と、裏面側に凹部が形成された部分を除いて補強リブ１６４が格子状に形成されている。なお、付勢部材収納部１８１および補強リブ１６４の前端部と、凹部の裏面となる部分は、それぞれ同じ前後位置、すなわち、同一平面上に存在する。
【００３７】
また、裏機構枠本体１６１の前側には、図３，４に示すように、それぞれコ字状のガイド部１６２，１６２が左右の側面を前側に延長するように取り付けられている。
裏機構枠１６０の前面側から見て左側に設けられたガイド部１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられたガイド部１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定されるようになっている。
【００３８】
また、後面部１６１ａおよび周囲壁１８７、ガイド部１６２，１６２によって形成される、所定の奥行きを有するとともに前面側（遊技盤１の裏面に臨む側）に開口した略矩形凹室形状の空間（少なくとも背面と左右側面とを囲まれた空間）が、表示ユニット１７３を収納する表示ユニット収納部１６８となる。すなわち、ガイド部１６２，１６２は裏機構枠本体１６１における後面部１６１ａの左右端部の各々に設けられ、周囲壁１８７とともに表示ユニット収納部１６８の側面部をなす。
【００３９】
ガイド部１６２，１６２は、周囲壁１８７の前端部分に接続されるが、その周囲壁１８７は、前端部分が一回り外側に位置するように段状に形成されており、この段状になった部分にガイド部１６２，１６２がちょうど嵌め込まれるようになっている。すなわち、この段状の部分は、ガイド部１６２，１６２の後端部が挿入される挿入部１８７ａをなし、ガイド部１６２，１６２は周囲壁１８７より内側に配される。また、ガイド部１６２，１６２の外側の側面であって後端部には、外側に突出する係止片１６２ｂ，１６２ｂ，…が上下、中央の３個所に形成されている。そして、周囲壁１８７の前端部分に形成された挿入部１８７ａには、ガイド部１６２，１６２を挿入した際に係止片１６２ｂ，１６２ｂ，…と対向する位置に、係止片１６２ｂ，１６２ｂ，…が係合可能な凹部である係合部１８７ｂ，１８７ｂ，…が形成されており、両者が係合をするとともにガイド部１６２，１６２の上部と下部を裏機構枠本体１６１にねじ止めすることでガイド部１６２，１６２が裏機構枠本体１６１に固定されるようになっている。なお、ガイド部１６２，１６２を裏機構枠本体１６１に取り付ける際には、表示ユニット１７３を裏機構枠本体１６１の前面側に配した状態で取り付ける。これにより、表示ユニット１７３が、後面部１６１ａおよび周囲壁１８７、ガイド部１６２，１６２によって形成される表示ユニット収納部１６８に収納された状態で裏機構枠１６０に取り付けられる。
【００４０】
このようなガイド部１６２，１６２は、左右の周囲壁１８７，１８７から裏機構枠本体１６１の中央側へ向かう所定範囲と、裏機構枠本体１６１の上下に形成された溝状の凹部１６９ａ，１６９ａ，…および隔壁１８９で囲まれた領域の前側を覆うように取り付けられる。そして、裏機構枠本体１６１の上下に形成された溝状の凹部１６９ａ，１６９ａ，…と対向するように配される部分には、裏機構枠本体１６１に形成された溝状の凹部１６９ａ，１６９ａ，…と同じ形状をした溝状の凹部（図示略）が形成されている。この溝状の凹部は、ガイド部１６２，１６２の後端部から前後幅の略半分の位置まで形成されている。
【００４１】
そして、ガイド部１６２，１６２を裏機構枠本体１６１に取り付けることによって、溝状の凹部が裏機構枠本体１６１の上下に形成された溝状の凹部１６９ａ，１６９ａ，…と連続する。これにより、上下にそれぞれ対向するように、ガイド部１６２，１６２から裏機構枠本体１６１にかけて前後方向に沿って延在する溝状の凹部である案内部１６９が形成される。すなわち、裏機構枠本体１６１とその前側に配されたガイド部１６２，１６２により形成される表示ユニット収納部１６８における上下の内側面の左右に、表示ユニット１７３の上下の側部にそれぞれ設けられるとともに、前記上下の側部の左端部及び右端部の合わせて４カ所から外側（上側もしくは下側）に突出する後述の被案内部１８，１８，…を前後に移動自在に案内する概略溝状の案内部１６９，１６９，…が設けられることとなる。
【００４２】
また、案内部１６９，１６９，…の一部をなす溝状の凹部が、ガイド部１６２，１６２の前後幅の略半分の位置まで形成されているのにあわせて、ガイド部１６２，１６２の裏機構枠本体１６１の側面に沿って配される部分における後半部分においては、周囲壁１８７のみを前側に延長するように形成されている。すなわち、表示ユニット収納部１６８の内側に位置する壁面および内部に形成された補強リブ１６２ｃは、前半部分にのみ形成され、後半部分には形成されていない。これによって、この範囲においては、裏機構枠本体１６１の前面側の凹部を狭めることなく前側に延長するようになっている。したがって、表示ユニット１７３を収納する表示ユニット収納部１６８は、後面部１６１ａの前面からガイド部１６２，１６２の前後方向の略中央までの前後幅を有することとなる。なお、案内部１６９，１６９，…の前後端部は、角部が曲面となるようにされている。この曲面の形状は、後述する表示ユニット１７３の被案内部１８の形状に合わせて形成されている。また、表示ユニット収納部１６８の前端に位置することとなる補強リブ１６２ｃの後端部も同様に曲面に形成されている。
【００４３】
以上のように形成される表示ユニット収納部１６８には、画像表示面１７１が前側（開口した側）となるように表示ユニット１７３が配設されるようになっている。このとき、表示ユニット１７３に設けられた被案内部１８，１８，…は、溝状の凹部となった案内部１６９，１６９，…内に収容された状態となる。そして、図１に示すように、裏機構枠１６０を遊技盤１の裏面に臨むように配することで、遊技盤１の裏面側に表示ユニット１７３の画像表示面１７１が臨むようになる。なお、裏機構枠１６０が遊技盤１の裏面に臨む状態にあるとき、表示ユニット１７３は後述する遊技盤裏面構成部材１１のベース盤１４の裏面から押圧部１７，１７，…の突出幅の分だけ後方側へ隔離した位置に配されるようになっている。
【００４４】
また、この表示ユニット収納部１６８の上下幅および左右幅は、表示ユニット１７３の上下幅および左右幅よりも大きくなっており、表示ユニット１７３の周囲に空間があいた状態とされる。これによって、表示ユニット１７３の前後方向への移動が容易になるとともに、表示ユニット１７３が表示ユニット収納部１６８内で僅かに傾斜した状態（遊技盤１の左右方向と非平行状態）になることも可能となる。なお、溝状の凹部となった案内部１６９，１６９，…内に被案内部１８，１８，…が収納された状態となっているので、表示ユニット１７３が非平行状態になっても被案内部１８，１８，…が案内部１６９，１６９，…から脱落することがない。
【００４５】
また、表示ユニット１７３は、後述するように、バネ等の弾性部材からなる表示ユニット付勢手段により前方側に向かって付勢された状態となっているが、裏機構枠１６０を開放した状態あるいは、遊技盤１を前面枠１２０から取り外した状態では、ガイド部１６２の前半部分であって、裏機構枠本体１６１の前面側を覆う部分に表示ユニット１７３の被案内部１８の前端部が当接した状態となる。すなわち、この表示ユニット１７３の裏機構枠１６０に対する前後位置が、表示ユニット１７３の前後方向の移動範囲における最も前側の位置である。なお、遊技盤１が装着されて裏機構枠１６０を閉じた状態においては、後述する遊技盤裏面構成部材１１の裏面に設けられて後方に突出する押圧部１７，１７，…が、表示ユニット１７３の前後方向の移動範囲における最も前側の位置より後方に位置するようになっている。よって、押圧部１７の後端部にある押圧部材１７ｂが表示ユニット１７３の前面に密着できるようになっている。
【００４６】
図５に示すように、裏機構枠１６０の後面部１６１ａの背面（裏面）には、前方に窪んで後方に開口した略矩形状の凹部である演出制御装置配設部１６５が形成され、演出制御装置３３を収容したボックス３３ａが配設されている。また、後面部１６１ａの背面であって、演出制御装置配設部１６５が形成された部分には、演出制御装置配設部１６５の前面側に形成された表示ユニット収納部１６８に連通する配線用開口１６５ａが形成されており、この配線用開口１６５ａを通して液晶表示パネル１７５（液晶表示器５５、バックライト５６）と演出制御装置３３とが配線によって接続されるようになっている。
【００４７】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図３，４に示すように、ボックス３３ａの前面側であって本体部の下縁の下方に延出する部分からは、演出制御装置３３に設けられたコネクタ部３３ｍがボックス３３ａの外側に露出している。
【００４８】
また、後述するように、遊技盤１の裏面には図７に示す演出データ装置３２が取り付けられており、この演出データ装置３２の裏面であって、演出制御装置３３が取り付けられた演出制御装置配設部１６５の下方に位置する部分には、コネクタ部３２ｆが設けられている。そして、この演出データ装置３２のコネクタ部３２ｆと演出制御装置３３のコネクタ部３３ｍは、互いに対向するように配されている。
【００４９】
すなわち、遊技盤１が前面枠本体１３０に取り付けられ、かつ、図２に示すように裏機構枠１６０が遊技盤１の裏面側に配された状態では、演出データ装置３２のコネクタ部３２ｆと演出制御装置３３のコネクタ部３３ｍが連結し、演出データ装置３２と演出制御装置３３が直接接続できるようになっている。また、ボックス３２ａの下側部分の裏面には、遊技制御装置３０を収納したボックス３０ａの一部が配されるようになっており、この部分はその厚みの分だけ薄く形成されている。
【００５０】
また、図５に示すように、後面部１６１ａの背面であって、裏機構枠１６０の裏面側から見て、演出制御装置配設部１６５の右側には、演出制御装置３３と他の装置等を接続する配線を収納する接続用凹部１８３が形成されている。この接続用凹部１８３は上下に延在するように形成されており、上側の左右に、演出制御装置配設部１６５、排出装置配設凹部１８５に連通する上部連通部１８３ａ，１８３ｂを備え、下部に裏機構枠１６０の下方に連通する下部連通部１８３ｃを備える。また、接続用凹部１８３の内部であってその上部には、遊技機外部の装置（管理装置など）との通信を行うための枠用外部出力端子２０５ａを備える外部端子基板２０５を取り付ける取付部１８３ｄや、中継基板２０３を取り付けるための取付部１８３ｅが形成されている。
【００５１】
この接続用凹部１８３の上半部は、カバー部材２０４によって覆われるようになっているが、カバー部材２０４の上部には開口部２０４ａが形成されており、カバー部材２０４を取り付けた状態で、外部端子基板２０５の枠用外部出力端子２０５ａが裏機構枠１６０の裏面側に露出するようになっている。また、接続用凹部１８３の下半部は、遊技制御装置３０を収納したボックス３０ａによって覆われるようになっている。このボックス３０ａによって覆われる部分は、後面部１６１ａの厚みがボックス３０ａの厚みの分だけ薄くされており、これに合わせて上述したように演出制御装置３３を収納したボックス３２ａの厚みも、下部が薄くされている。すなわち、後面部１６１ａの背面の下部および上述した演出制御装置３３を収納したボックス３２ａの下側部分には、遊技制御装置３０を収納したボックス３０ａが収納される凹部が形成されている。このように配線を接続用凹部１８３内に収納し、接続用凹部１８３の開口部分をカバー部材２０４およびボックス３０ａで覆って閉鎖することにより、配線が露出してばらけてしまうことを防止することができる。
【００５２】
裏機構枠本体１６１の上面には、下方に窪んだ凹部である貯留タンク載置部１８８が形成されており、ここに遊技機１００が設置される図示しない島設備に設けられた供給装置から供給される遊技球を一時貯留し、排出装置１９０に供給する貯留タンク１９２が取り付けられるようになっている。
【００５３】
貯留タンク１９２は、略矩形箱状の部材であって、その長さ方向が裏機構枠本体１６１の左右方向に沿うとともに、上側に開口するように裏機構枠本体１６１の上面に取り付けられている。この貯留タンク１９２は、遊技機１００が設置される図示しない島設備に設けられた供給装置から供給される遊技球を一時貯留し、排出装置１９０に供給するものである。この貯留タンク１９２の裏機構枠本体１６１の左右方向に沿った幅は、貯留タンク載置部１８８の左右方向に沿った幅に等しい。また、貯留タンク１９２の裏機構枠本体１６１の前後方向に沿った幅は、裏機構枠１６０の前後幅より若干狭いが、貯留タンク載置部１８８の前後幅より広くなっている。そして、貯留タンク１９２は貯留タンク載置部１８８の前後に突出するように載置されており、前側においては表示ユニット収納部１６８の上面の一部をなし、後側においては、流路形成凹部１８４の上面の一部をなしている。
【００５４】
貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口として遊技球が通過可能な開口（図示略）が形成されている。そして、後面部１６１ａの背面には、この開口に連通する遊技球流路を形成するための流路形成凹部１８４が形成されている。
【００５５】
流路形成凹部１８４は後面部１６１ａの背面であって、裏機構枠１６０の裏面側から見て上側および右側の端部に隣接した位置に形成されている。このうち上側の流路形成凹部１８４は右側に向かって下る傾斜を有する導出流路形成部材載置部１９４を有し、ここに導出流路形成部材１９５が取り付けられ、導出流路２０１が形成されるようになっている。
【００５６】
また、右側の流路形成凹部１８４は、その上下方向の略中央に流路形成凹部１８４に連通する排出装置配設凹部１８５が形成されており、ここに排出装置１９０が取り付けられるようになっている。この排出装置配設凹部１８５は、裏機構枠１６０の中央方向に延在するように形成され、その中央側の端部の一部が接続用凹部１８３に上部連通部１８３ｂを通じて連通している。そして、この排出装置配設凹部１８５を境にして、右側の流路形成凹部１８４の上部には、誘導流路形成部材１９６が取り付けられ、導出流路２０１に連通するとともに排出装置１９０に接続する誘導流路（図示略）が形成されるようになっている。また、排出装置配設凹部１８５を境にして、右側の流路形成凹部１８４の下部には、流路構成部材１９７が取り付けられ、排出装置１９０から排出された遊技球を下方に流下案内する下部流路１９８が形成されるようになっている。さらに、この流路構成部材１９７によって、誘導流路形成部材１９６に形成された上部球抜き流路に接続する下部球抜き流路１９９が形成されるようになっている。
【００５７】
すなわち、後面部１６１ａの前面は表示ユニット１７３の裏面と対向し、後面部１６１ａの背面に形成された各凹部（流路形成凹部１８４、排出装置配設凹部１８５）には排出装置１９０や遊技球流路（導出流路２０１、誘導流路、下部流路１９８）が取り付けられていることから、遊技球流路および排出装置１９０は表示ユニット１７３の後方側で遊技機１００の前後方向に重合するように配設されていることとなる。
【００５８】
後面部１６１ａの背面における上側の端部には、流路形成凹部１８４を形成したことにより後方に突出する段部が形成され、この段部の上面が、遊技球の流路を形成する導出流路形成部材１９５を取り付ける導出流路形成部材載置部１９４とされている。導出流路形成部材載置部１９４をなす段部の上面は、その前後幅（段部の後方に突出する幅）が遊技球の直径の２倍よりも広いものとされ、貯留タンク１９２の排出口が形成された位置から誘導流路にかけて、右側に下る傾斜を有するように形成されている。
【００５９】
この導出流路形成部材載置部１９４に取り付けられる導出流路形成部材１９５は、導出流路形成部材載置部１９４をなす段部の上面と略同じ大きさの底板１９５ａと、底板１９５ａに対し垂直に接続した背面板１９５ｂとからなるＬ字型の板状の部材である。底板上には、前後方向の中央に、傾斜方向に沿った仕切壁１９５ｃが形成されていて、これにより、遊技球の直径の２倍より広い前後幅を有する底板１９５ａの上面が二分され、二条の導出流路２０１が形成されるようになっている。なお、導出流路２０１には、遊技球が上下に数段重なって流下するが、仕切壁１９５ｃの高さは遊技球の直径程度とされ、底板１９５ａ上を流下する遊技球のみが確実に二条に並ぶようにされている。
【００６０】
そして導出流路形成部材１９５は、底板１９５ａが導出流路形成部材載置部１９４上に配され、かつ、背面板１９５ｂが導出流路形成部材載置部１９４の後端部側に配されるように取り付けられる。これによって、図２に示すように、背面板１９５ｂは段部下方の後面部１６１ａの背面と略同一面を形成するようになる。また、背面板１９５ｂの上下幅は、段部の上面から裏機構枠本体１６１の上面に取り付けられた貯留タンク１９２の下端までの幅とされ、段部の後端部と略同じ位置まで後方に突出する貯留タンク１９２に背面板１９５ｂの上端部を固定できるようになっている。
【００６１】
すなわち、導出流路形成部材１９５の底板１９５ａが貯留タンク１９２の排出口から誘導流路に至る導出流路２０１の底面をなすとともに、背面板１９５ｂと段部上方の後面部１６１ａの背面が導出流路２０１の側面をなす。また、裏機構枠本体１６１の上部に設けられた貯留タンク１９２が導出流路２０１の上面をなし、貯留タンク１９２の後端部に背面板１９５ｂの上端部が固定されることで、後面部１６１ａの背面に筒状の導出流路２０１が形成されることとなる。
【００６２】
裏機構枠本体１６１の裏面側から見て右側の流路形成凹部１８４に取り付けられた誘導流路形成部材１９６は、その内部に導出流路２０１に連通するとともに排出装置１９０に接続する誘導流路が形成されている。この誘導流路形成部材１９６は、後面部１６１ａの背面における上側に形成された流路形成凹部１８４と右側に形成された流路形成凹部１８４の接続部分、すなわち、裏機構枠本体１６１の裏面側から見て右上の角部に沿って配されるＬ字形の部材であり、流路形成凹部１８４に形成されたボス１８４ａ，１８４ａ（図５に図示）が挿入されることで取り付けられている。また、誘導流路形成部材１９６の内部には、前後二列にかつ上下一段で遊技球を流下させる誘導流路が形成されている。
【００６３】
このＬ字形をした誘導流路形成部材１９６の一端部であって、上側の流路形成凹部１８４に配される部分には、上述の導出流路２０１に連通し、誘導流路の入口をなす流入口１９６ａが形成されている。この流入口１９６ａは、導出流路２０１に連続する前後二条の流路を有し、上部には、導出流路２０１の下流側における上端部から流入口１９６ａの上部にかけて下る傾斜を有する板状の案内部材１９６ｂが設けられている。この案内部材１９６ｂは、導出流路２０１内で上下に数段重なって流下する遊技球を押さえるとともに、流入口１９６ａに向かって上下一段になるように案内するものである。なお、板状の案内部材１９６ｂは、積み重なった状態の遊技球同士が噛み合ってブリッジを形成することを防止するため、下流側の端部が回動可能に軸着されているとともに上流側の端部におもり１９６ｈが取り付けられて上下に揺動可能に構成されている。
【００６４】
そして、誘導流路形成部材１９６内には、誘導流路の底面をなす底板１９６ｃが上下に３段形成されている。最も上側の底板１９６ｃは流入口１９６ａに連続し、流入口１９６ａから流入した遊技球を、裏機構枠本体１６１の裏面側から見て右側に流下案内するように右側に傾斜し、その下側に配される底板１９６ｃは逆に右から左へ傾斜し、さらにその下側に配される底板１９６ｃは、最も上側の底板１９６ｃと同じく左から右へと傾斜している。また、各底板１９６ｃは、図示しないが前後に並んだ二条の流路を有しており、このような底板１９６ｃによって、左右に折り返しながら下方へ延在する誘導流路が形成され、流入口１９６ａから流入した遊技球が左右に折り返しながら下流側へ案内されるようになっている。なお、各底板１９６ｃは、遊技球が一段で流下するような間隔で配されている。そして、このように形成された誘導流路は、誘導流路形成部材１９６の下端部に形成された排出口１９６ｄが排出装置１９０の流入口１９０ａに接続するようになっている。
【００６５】
また、誘導流路形成部材１９６の最も上側の底板１９６ｃによって形成された流路の途中には、上部に半端センサ１９６ｅが設けられている。この半端センサ１９６ｅは、基本的には、貯留タンク１９２および導出流路２０１内の遊技球の残量が１回に払い出される遊技球数のうちの最大数より少なくなった場合に、１回の排出数に満たない半端な数の遊技球が払い出されるのを防止するものである。また、半端センサ１９６ｅは、貯留タンク１９２に遊技球が無いのに、排出装置１９０が作動するのを防止すものである。そして、半端センサ１９６ｅは遊技球を非接触で検出する近接センサなど、遊技球を検出するセンサで構成され、半端センサ１９６ｅから遊技球を検出する信号が途絶えた場合（遊技球を検出していないことを示す信号が出力された場合）に、排出発射制御装置３４が、島設備側から遊技球が補給されて、半端センサ１９６ｅから遊技球を検出していることを示す信号が入力するまで、遊技球の排出を停止する制御を行う。
【００６６】
また、最も上側の底板１９６ｃの下流側端部であって誘導流路の折り返し部分には、遊技球が流下する流路を球抜き流路と誘導流路とに切り替える切替部材１９６ｆが設けられている。この切替部材１９６ｆは、常時、遊技球を下段の誘導流路に案内するようになっているが、球抜きの際に、この切替部材１９６ｆを外部から操作することによって、遊技球が誘導流路に隣接して形成された上部球抜き流路１９６ｇへ案内するように切り替えることができる。なお、上部球抜き流路１９６ｇは、後述する流路構成部材１９７に形成された下部球抜き流路１９９とで球抜き流路を形成するものであって、貯留タンク１９２および導出流路２０１内の遊技球を遊技機１００の外部（島設備の回収樋）に抜き取るためのものである。
【００６７】
排出装置１９０は、裏機構枠本体１６１の裏面側から見て、右側の流路形成凹部１８４における上下方向の略中央に形成された排出装置配設凹部１８５に、ここに形成されたフック１８５ａ（図５に図示）で係止されることにより取り付けられている。この排出装置１９０は略直方体状であって、上部に誘導流路形成部材１９６の排出口１９６ｄに接続する遊技球を受け入れる流入口１９０ａを、下部に下部流路１９８の流入口に接続する遊技球を排出する排出口を備えている。
【００６８】
また、排出装置１９０は、配線を接続するコネクタが、接続用凹部１８３と排出装置配設凹部１８５が連通する上部連通部１８３ｂに面する排出装置１９０の側面に露出している。そして、このコネクタに接続された配線は、上部連通部１８３ｂから接続用凹部１８３を通って下部連通部１８３ｃに至り、排出発射制御装置３４に接続されるようになっており、排出発射制御装置３４が遊技制御装置３０の制御の下で排出装置１９０を制御できるようになっている。
【００６９】
排出装置配設凹部１８５を境にして、右側の流路形成凹部１８４の下部には流路構成部材１９７が取り付けられて、排出装置１９０から排出された遊技球を下方に流下案内する下部流路１９８が形成されている。この下部流路１９８は、その流入口が排出装置１９０の排出口に接続しており、ここから流入した遊技球は下部流路１９８に沿って下方に案内される。そして、下部流路１９８の下端部の排出口は遊技機前面側の上皿１５０ｃに連通する流路に接続しており、これによって排出装置１９０から排出された所定数の遊技球が、発射操作ユニット１５０の前面に形成された上皿１５０ｃに払い出されるようになっている。
【００７０】
また、この流路構成部材１９７は、排出装置１９０を介さずに誘導流路から遊技機の外部に遊技球を排出する球抜き流路の一部をなす下部球抜き流路１９９も形成している。この下部球抜き流路１９９は、誘導流路形成部材１９６の下端部に設けられた上部球抜き流路１９６ｇの排出口に接続し、排出装置１９０の側方を通って下方に延在するように形成されており、その下端部の排出口は遊技機１００の外部（島設備の回収樋）に連通する流路に接続するようになっている。
【００７１】
以上のような構成によって、図示しない島設備の供給装置から供給され、貯留タンク１９２に貯留された遊技球は、貯留タンク１９２底面の傾斜によって裏機構枠１６０の裏面側に位置する排出口に誘導される。排出口から排出された遊技球は、裏機構枠１６０の裏面側に形成された導出流路２０１を流下して誘導流路を経て排出装置１９０に至る。そして、排出装置１９０が動作することによって、下部流路１９８を経て発射操作ユニット１５０の前面に形成された上皿１５０ｃに排出される。なお、貯留タンク１９２の排出口から排出装置１９０に至る流路内には、常に遊技球が待機している状態となっており、排出装置１９０によって流路内の遊技球が排出されることに伴って貯留タンク１９２から流路に遊技球が流入するようになっている。なお、後面部１６１ａの背面に配される上述した各種部材は、その裏面が略同一面をなすような前後幅に形成されている。
【００７２】
表示ユニット１７３は、図３，４に示すように、前面側が開口した矩形箱状（額縁状）に形成された表示ユニットケース１７４と、この矩形箱状の表示ユニットケース１７４に収容された液晶表示パネル１７５（液晶表示器５５、バックライト５６を含む）とを有する。そして、表示ユニットケース１７４の前面側から液晶表示パネル１７５の画像表示面１７１を有する前面が露出している。
【００７３】
表示ユニットケース１７４は金属製であって、上述した裏機構枠１６０の案内部１６９，１６９，…に案内される被案内部１８，１８，…を有し、裏機構枠１６０の表示ユニット収納部１６８内において前後動自在に配される。被案内部１８，１８，…は表示ユニットケース１７４の上下の側部であって、左端部及び右端部の合わせて４ヶ所から側部に対して垂直に外側に突出するように設けられている。この被案内部１８，１８，…は、摩擦係数が低い材質（例えば、ポリアセタール、金属）からなる被案内部材１８ａを、表示ユニットケース１７４の上下部（上下面の左右両端）に固定することで形成されている。また、表示ユニット１７３の下面に設けられた被案内部１８，１８は、その下部に滑動体として左右方向に沿った回転軸を有するローラ（図示略）を備えており、このローラが案内部１６９，１６９の底面に接するようになっている。
【００７４】
このような構成によって、案内部１６９に対して摩擦係数が低い材質からなる被案内部１８もしくは回転可能なローラが当接することとなり、被案内部１８と案内部１６９との間の摩擦抵抗が軽減され、表示ユニット１７３を円滑に前後方向に移動することができるようになる。
【００７５】
表示ユニットケース１７４の裏面には、表示ユニットケース１７４に収納される液晶表示パネル１７５と、裏機構枠１６０の裏面側に配される演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。なお、この配線用開口が形成された位置は、表示ユニット１７３を表示ユニット収納部１６８に収納した際に、後面部１６１ａに形成された配線用開口１６５ａと対応する位置でもある。
【００７６】
液晶表示パネル１７５は、矩形板状であって表示ユニットケース１７４にちょうど収まる大きさとなっている。この液晶表示パネル１７５は、液晶表示器５５とバックライト５６などから構成され、液晶表示器５５の画像表示面１７１が、前側に臨むように配されている。
【００７７】
液晶表示器５５の画像表示面１７１の面積は、前面枠本体１３０に形成された開口部に嵌め込まれた遊技盤１の下側の一部を除く大部分を裏面側から覆うことができる面積となっており、後述する遊技盤裏面構成部材１１に形成された遊技盤本体１０を透して後方を視認可能な視認開口１５よりも広いものである。すなわち、画像表示面１７１の面積が、少なくとも遊技盤裏面構成部材１１に形成された視認開口１５よりも広く、遊技盤裏面構成部材１１に形成された視認開口１５の大きさが変化してもそれに対応できるようになっている。このように、液晶表示器５５の画像表示面１７１が遊技盤１の裏面側を幅広く覆うようにすることで、遊技盤１を交換して遊技機１００の遊技内容を変更する場合に、多種の遊技盤１に対応できるようになっている。
【００７８】
また、液晶表示器５５は、画像表示面１７１の面積が遊技盤裏面構成部材１１に形成された視認開口１５よりも広いので、遊技盤裏面構成部材１１に形成された視認開口１５から露出する領域に所定の画像が表示されるように演出制御装置３３によって制御されている。この画像表示領域を決定する遊技盤１の遊技盤裏面構成部材１１に形成された視認開口１５の大きさや位置に関する初期情報や、変動表示ゲームの画像に関する情報は演出データ装置３２に記憶されているが、演出データ装置３２は遊技盤１に取り付けられており、遊技盤１と一緒に演出データ装置３２も交換される。よって、遊技盤１の交換に伴い、例えば、これまでの遊技盤に対応した画像表示領域から、新たな遊技盤１に対応した画像表示領域に変更できるようになっている。
【００７９】
以上のような構成によって、液晶表示器５５を備えた表示ユニット１７３は、裏機構枠１６０に前後移動可能に保持されることとなる。
【００８０】
図１，６，７に示すように、前面枠本体１３０の開口部に嵌め込まれる遊技盤１は、遊技盤本体１０と、遊技盤本体１０の裏面側に配される遊技盤裏面構成部材１１とを備える。遊技盤本体１０は透明な合成樹脂（例えば、ポリカーボネートやアクリル）からなり、前面には、略円形に配されたガイドレール２で囲まれた第１遊技領域３を有し、この第１遊技領域３内に遊技球（打球；遊技媒体）を発射して遊技を行うようになっている。また、遊技盤１の前面であってガイドレール２で囲まれた第１遊技領域３の外側には、不透明な材質からなる遊技盤前面構成部材１２が取り付けられ、第１遊技領域３以外から遊技機１００の内部が見えないようになっている。
【００８１】
第１遊技領域３内には、第１普図始動ゲート６が設けられ、該第１普図始動ゲート６内には遊技球の通過を検出する第１ゲートセンサ６ａ（図１１に図示）が設けられている。そして、該第１ゲートセンサ６ａで遊技球が検出されることに基づき第１普図変動表示ゲームの始動条件が成立するようになっている。この第１普図変動表示ゲームは、遊技盤１の前面側に設けられる図示しない第１普図変動表示器にて表示されるようになっている。また、遊技盤１の前面側には、未処理となっている第１普図変動表示ゲームの回数を表示する第１普図始動記憶表示器（図示略）が設けられている。
【００８２】
また、第１遊技領域３内には、第１普通変動入賞装置９が設けられ、該第１普通変動入賞装置９内には遊技球の流入を検出する第１始動口センサ９ｂ（図１１に図示）が設けられている。この第１普通変動入賞装置９は、第１特図始動入賞口も兼ねており、該第１始動口センサ９ｂで遊技球が検出されることに基づき第１特図変動表示ゲームの始動条件が成立するようになっている。この第１特図変動表示ゲームは、遊技盤１の前面側に設けられる図示しない第１特図変動表示器（たとえば、７セグからなる）にて表示されるようになっている。また、遊技盤１の前面側には、未処理となっている第１特図変動表示ゲームの回数を表示する第１特図始動記憶表示器（図示略）が設けられている。
【００８３】
第１普通変動入賞装置９は左右一対の開閉部材９ａ，９ａを具備し、この開閉部材９ａ，９ａは、常時は遊技球が１個流入可能な程度の間隔で閉じた状態（遊技者にとって不利な状態）を保持しているが、第１普図変動表示器の第１普図変動表示ゲームの結果が所定の停止表示態様（例えば、「７」）となった場合には、逆「ハ」の字状に開いて第１普通変動入賞装置９に遊技球が流入し易い状態（遊技者にとって有利な状態）に変化されるようになっている。
【００８４】
また、第１特図変動表示ゲームは、第１遊技領域３内に設けられた第１特図変動表示器で実行されるが、ここで実行される第１特図変動表示ゲームに対応する第１表示ゲームが表示ユニット１７３の画像表示面１７１に表示されるようになっている。この第１特図変動表示ゲームに対応した第１表示ゲームの表示領域は、後述するように、遊技盤１を構成する遊技盤裏面構成部材１１に形成された表示領域区画壁１６によって区画された領域であって、透明な材質からなる遊技盤本体１０を通して、その裏面側に配された表示ユニット１７３の画像表示面１７１を視認可能な領域となっている。なお、遊技機１００に第１特図変動表示器を備えずに、表示ユニット１７３のみで第１特図変動表示ゲームを実行するようにしても良い。
【００８５】
また、第１遊技領域３内には、特別変動入賞装置４、遊技盤装飾装置５４（図１１に図示）、一般入賞口、風車と呼ばれる打球方向変換部材、第１障害部材としての第１障害釘１３，１３，…（一部を図示）、第１鎧部材８、入賞口などに入賞しなかった遊技球を回収するアウト口７などが設けられている。さらに、遊技盤本体１０の裏面側に設けられた後述する第２遊技領域７０への第１誘導路７１および第２遊技領域７０からの第２誘導路７２，７２が設けられている。
【００８６】
特別変動入賞装置４は、上端側が手前側に倒れる方向に回動して開放可能になっているアタッカ形式の開閉扉４ａによって開閉される大入賞口を備えていて、後述する特別遊技状態中は、大入賞口を閉じた状態から開いた状態に変換することにより大入賞口内への遊技球の流入を容易にさせる。なお、開閉扉４ａは、ソレノイド（大入賞口ＳＯＬ５３、（図１１に図示）により駆動される。また、大入賞口の内部（入賞領域）には、該大入賞口に入った遊技球を検出するための大入賞口用センサ（カウントセンサ５１、図１１に図示）が配設されている。
【００８７】
また、第１遊技領域３に設けられた一般入賞口には、一般入賞口に入った遊技球を検出するための一般入賞口センサ５２（図１１に図示）が配設されている。そして、遊技を開始することにより第１遊技領域３内に打ち込まれた遊技球が、一般入賞口、第１始動入賞口（第１普通変動入賞装置９）、大入賞口（特別変動入賞装置４）等の入賞口の何れかに入賞すると、それぞれの入賞口に対応した所定数の賞球としての遊技球が後述の排出発射制御装置３４（排出発射制御基板）の制御により排出装置１９０によって上皿１５０ｃに排出される（払い出される）ようになっている。
【００８８】
また、図９に示すように、第１障害部材としての第１障害釘１３，１３，…は、遊技盤本体１０の前面側から一端部が第１遊技領域３内に突出するように打ち込まれており、第１遊技領域３を流下する遊技球の流下方向に変化を与えることができるようになっている。なお、遊技盤本体１０は透明な合成樹脂からなるので、遊技盤本体１０に第１障害釘１３，１３，…の径よりも若干小さい内径の下穴１０ａを予め形成しておき、この下穴１０ａに第１障害釘１３，１３，…を前面側から打ち込むようになっている。
【００８９】
また、第１鎧部材８は、第１遊技領域３の上部となる遊技盤本体１０の前面に突出するように取り付けられており、第１遊技領域３に発射されて流下する遊技球を左右に振り分け、第１遊技領域３の中央部における画像表示面１７１の視認性を良くするものである。図６に示すように、この第１鎧部材８の上部であって、左右方向の中央部となる部分の遊技盤本体１０には、前後に貫通する第１誘導路７１が形成されており、第１遊技領域３を流下する遊技球が、ここを通って遊技球が後述する第２遊技領域７０へ流入可能とされている。また、第１普通変動入賞装置９の左右となる部分の遊技盤本体１０には、前後に貫通する第２誘導路７２，７２がそれぞれ形成されており、第２遊技領域７０を流下した遊技球がここを通って第１遊技領域３へ戻るようになっている。なお、第２誘導路７２，７２は、特別変動入賞装置４の上方に形成されており、第２遊技領域７０を流下した遊技球でも特別変動入賞装置４に入賞することができるようにされている。
【００９０】
また、図７に示すように、遊技盤裏面構成部材１１は、遊技盤本体１０の周囲に沿う矩形状をしており、不透明又は半透明とされた合成樹脂（例えば、ポリカーボネートやＡＢＳ）からなる。この遊技盤裏面構成部材１１における遊技盤本体１０の裏面に沿って配されるベース盤１４の略中央部には、遊技盤本体１０に形成された第１遊技領域３の大部分と重なるように視認開口１５が形成されている。また、ベース盤１４の裏面側には、視認開口１５の周縁に沿って後方に突出する表示領域区画壁１６が形成されており、これによって前後方向に沿った筒状の空間が形成されている。この表示領域区画壁１６は、遊技盤１の後方に配される後述する表示ユニット１７３の画像表示面１７１に近接するように配される（当接はしない）ようになっており、第１特図変動表示ゲームに対応した第１表示ゲームなどの表示領域を区画するものである。すなわち、表示ユニット１７３の画像表示面１７１のうち、視認開口１５の周縁に沿って形成された表示領域区画壁１６で囲まれた領域が遊技盤１の前面側から視認可能な表示領域（視認領域）となる。よって、第１遊技領域３の大部分に表示ユニット１７３の画像が表示されることとなる。
【００９１】
なお、上述したように画像表示面１７１の面積は、遊技盤裏面構成部材１１に形成された視認開口１５よりも広いので、遊技盤裏面構成部材１１に形成された視認開口１５から露出する領域に所定の画像が表示されるように演出制御装置３３によって制御されている。また、表示領域区画壁１６の上半部および左右側部は、表示領域区画壁１６を通して遊技機１００の内部が透けて見えない程度の半透明とされており、下半部は着色されて不透明とされ、遊技機１００の内部（例えば、変動入賞装置の駆動源や配線）が見えないようになっている。
【００９２】
ベース盤１４の裏面には、左右の端部に隣接する位置に、後方へ突出する押圧部１７，１７，…が上下に形成されている。この押圧部１７，１７，…は、遊技盤１の裏面側に配される表示ユニット１７３の前面（表示ユニット１７３の外枠をなす表示ユニットケース１７４の前面）に、その後端部が当接するようになっている。また、押圧部１７，１７，…は、所定の前後幅を有しており、押圧部１７，１７，…が表示ユニット１７３の前面に当接することで、遊技盤１と表示ユニット１７３は所定の間隔をおいて配され、両者の間に空間部が形成されるようになっている。なお、押圧部１７，１７，…の前後幅は、上述した表示領域区画壁１６の前後幅よりも若干広くされており、押圧部１７，１７，…が表示ユニット１７３の前面に当接することで、表示領域区画壁１６が画像表示面１７１に近接した位置に配されるようになっている。
【００９３】
このように、遊技盤１に対して表示ユニット１７３が所定の間隔をおいて遊技機１００の奥側に配されるので、表示ユニット１７３と遊技者との距離を確保でき、奥行き感を出すことができるとともに、大型の表示ユニット１７３を用いた場合でも、遊技者にとって見やすい構成とすることができる。また、遊技盤側から入り込む外光によって画像表示面１７１における表示が見にくくなることを防止できる。
【００９４】
また、押圧部１７，１７，…はベース盤１４に形成された基部１７ａと、基部１７ａの後端部にねじによって取り付けられた摩擦係数が低い材質（例えば、ポリアセタール、金属）からなる押圧部材１７ｂとを有している。さらに、ベース盤１４の裏面側から見て右側に位置する押圧部１７，１７の押圧部材１７ｂには、上下方向に沿った軸を中心に回動可能なローラ２０が、外側に位置する角部に取り付けられている。
【００９５】
表示ユニット１７３の前面に当接する押圧部材１７ｂ，１７ｂ，…がこのような構成を有することで、押圧部材１７ｂ，１７ｂ，…が表示ユニット１７３の前面に当接し、押圧した状態で、容易に適切な位置に移動することができるようになっている。なお、この押圧部１７，１７，…による表示ユニット１７３の押圧については後述する。
【００９６】
表示領域区画壁１６で囲まれた領域内には、表示領域区画壁１６によって形成された前後方向に沿った筒状の空間を前後に区画するように、図８に示すような透明な材質からなる板状の透明区画壁８０が配されるようになっている。この板状の透明区画壁８０は、その外周がちょうど表示領域区画壁１６の内周面に沿って配されるような形状となっている。
【００９７】
また、図７に示すように、表示領域区画壁１６の内周面には、遊技盤本体１０の裏面から遊技球の直径以上の所定間隔をおいて、周方向に沿ったリブ１６ａが形成されている。そして、透明区画壁８０は、表示領域区画壁１６で囲まれた領域内に後方の開口から挿入することで、図９に示すようにリブ１６ａに当接して係止され、所定の前後位置に遊技盤本体１０と平行に配されるようになっている。また、リブ１６ａの所定個所にはねじ止め部１６ｂ，１６ｂ，…が形成され、透明区画壁８０にはこのねじ止め部１６ｂ，１６ｂ，…と対応する部分にねじ穴８１，８１，…が形成されており、ねじによって透明区画壁８０を表示領域区画壁１６に固定できるようになっている。この透明区画壁８０、遊技盤本体１０、表示領域区画壁１６によって囲まれた領域が第２遊技領域７０となる。
【００９８】
以上のことから、遊技盤１は、該遊技盤１の裏面側から変動表示装置（表示ユニット１７３）側へ向けて延出され、変動表示装置の前方の視認領域を区画する視認領域区画壁（表示領域区画壁１６）を設け、第２遊技領域７０は、遊技盤１の裏面と透明区画壁８０と視認領域区画壁とで区画された領域であることとなる。
【００９９】
この第２遊技領域７０を形成する遊技盤本体１０の裏面には、第２障害部材としての第２障害釘７４，７４，…や第２鎧部材７３が配されており、第２遊技領域７０を流下する遊技球の流下方向を変更可能とされている。
【０１００】
図９に示すように、第２障害釘７４，７４，…は、上述した第１障害釘１３，１３，…と同様に、遊技盤本体１０の裏面側から一端部が第２遊技領域７０内に突出するように打ち込まれており、第２遊技領域７０を流下する遊技球の流下方向に変化を与えることができるようになっている。なお、遊技盤本体１０は透明な合成樹脂からなるので、遊技盤本体１０に第２障害釘７４，７４，…の径よりも若干小さい内径の下穴１０ａを予め形成しておき、この下穴１０ａに第１障害釘７４，７４，…を裏面側から打ち込むようになっている。
【０１０１】
また、第２鎧部材７３は、第１遊技領域３に配された第１鎧部材８と遊技盤本体１０を挟んで対向するように、第２遊技領域７０の上部となる遊技盤本体１０の裏面に突出するように取り付けられている。この第２鎧部材７３は、遊技盤本体１０に形成された前後に貫通する第１誘導路７１を通って第１遊技領域３から第２遊技領域７０へ流入した遊技球を左右に振り分け、第２遊技領域７０の中央部における画像表示面１７１の視認性を良くするものである。すなわち、第１鎧部材８と第２鎧部材７３とによって、遊技盤本体１０の前面、裏面ともに中央部に遊技球が流下しないようになり、遊技盤１の後方に配される画像表示面１７１の視認性が良くなるようになっている。
【０１０２】
なお、第２遊技領域７０への第２障害釘７４，７４，…の配設方法はこれに限られず、例えば、図１０（ａ）に示すように、遊技盤本体１０に形成した下穴１０ａに、前面側から下穴１０ａを貫通するように第１障害釘１３，１３，…を挿入し、第１遊技領域３と第２遊技領域７０の両方に突出するようにして配設しても良い。すなわち、第１障害釘１３，１３，…として遊技盤本体１０の前面側から打ち込んだ釘のうち、遊技盤本体１０の裏面側に突出した部分が第２障害釘７４，７４，…としての機能を有する。このようにすれば、第１遊技領域３への第１障害釘１３，１３，…の配設と、第２遊技領域７０への第２障害釘７４，７４，…の配設を同時に行えるので作業効率が向上する。また、第１遊技領域３の第１障害釘１３，１３，…と第２遊技領域７０の第２障害釘７４，７４，…が前後に重なって配設されることとなるので、画像表示面１７１の視認領域を狭めることがない。
【０１０３】
以上のことから、第１障害部材（第１障害釘１３，１３，…）を遊技盤１（遊技盤本体１０）の前面から裏面に貫通させて第２遊技領域７０に突出させ、第２障害部材（第２障害釘７４，７４，…）を形成したこととなる。
【０１０４】
また、図１０（ｂ）に示すように、第２遊技領域７０への第２障害釘７４，７４，…の配設を、遊技盤本体１０に形成した下穴１０ａに、前面側から下穴１０ａを貫通するように第２障害釘７４，７４，…を挿入して第２遊技領域７０に突出するようにして配設しても良い。ただしこの場合は、第２遊技領域７０に突出する第２障害釘７４，７４，…の頭が第１遊技領域３に突出しないようにする。このようにすれば、遊技盤本体１０の前面側から第１障害釘１３，１３，…に加え第２障害釘７４，７４，…も打ち込むことができ、障害部材の配設作業を軽減できる。
【０１０５】
以上のことから、第２障害部材（第２障害釘７４，７４，…）は、遊技盤１（遊技盤本体１０）の前面から裏面に貫通させて第２遊技領域７０に突出させ、第１遊技領域３には突出しないようにしたこととなる。
【０１０６】
図８（ａ）に示すように、第２遊技領域７０の後壁をなす透明区画壁８０には、第２普図始動ゲート８２、第２普通変動入賞装置８３が設けられており、透明区画壁８０を取り付けることによって第２遊技領域７０の所定個所にこれらが配設されるようになっている。
【０１０７】
第２普図始動ゲート８２は、透明区画壁８０の前面側に遊技球が通過可能なゲート部８２ａが突出するように、透明区画壁８０に形成された開口部８０ａに取り付けられている。この透明区画壁８０の前面側に突出したゲート部８２ａの内部には、遊技球の通過を検出可能な第２ゲートセンサ８２ｂ（図１１に図示）が配されており、この第２ゲートセンサ８２ｂで遊技球が検出されることに基づき第２普図変動表示ゲームの始動条件が成立するようになっている。この第２普図変動表示ゲームは、遊技盤１の前面側に設けられる図示しない第２普図変動表示器にて表示されるようになっている。また、遊技盤１の前面側には、未処理となっている第２普図変動表示ゲームの回数を表示する第２普図始動記憶表示器（図示略）が設けられている。
【０１０８】
また、第２普通変動入賞装置８３は、透明区画壁８０の前面側に取付ベース８３ｃを介して取り付けられており、上述した第１普通変動入賞装置９と同様に、左右一対の開閉部材８３ａ，８３ａを具備している。この開閉部材８３ａ，８３ａは、常時は遊技球が１個流入可能な程度の間隔で閉じた状態（遊技者にとって不利な状態）を保持しているが、第２普図変動表示器の第２普図変動表示ゲームの結果が所定の停止表示態様（例えば、「７」）となった場合には、逆「ハ」の字状に開いて第２普通変動入賞装置８３に遊技球が流入し易い状態（遊技者にとって有利な状態）に変化されるようになっている。
【０１０９】
この第２普通変動入賞装置８３は、第２特図始動入賞口も兼ねている。すなわち、第２普通変動入賞装置８３の内部（入賞領域）に備えられた第２始動口センサ８３ｂ（図１１に図示）により遊技球を検出することに基づき始動条件が成立し、第２特図変動表示ゲームが開始されるようになっている。この第２特図変動表示ゲームは、遊技盤１の前面側に設けられる図示しない第２特図変動表示器（たとえば、７セグからなる）にて表示されるようになっている。また、遊技盤１の前面側には、未処理となっている第２特図変動表示ゲームの回数を表示する第２特図始動記憶表示器（図示略）が設けられている。
【０１１０】
この第２普通変動入賞装置８３に入賞した遊技球は、図示しない開口を通って透明区画壁８０の裏面側に誘導され、図８（ｂ）に示すように、透明区画壁８０の裏面側に設けられた流下路８３ｄに流入するようになっている。この流下路８３ｄは、透明区画壁８０の下方へ延在するように配されており、その下流側端部は、透明区画壁８０を表示領域区画壁１６に取り付けることで、図７に示すように、表示領域区画壁１６に形成された連通流路１６ｄの上流側端部に接続するようになっている。この連通流路１６ｄは、遊技盤１の裏面側に設けられた取り付けベース４０の入賞球流路に連通している。また、透明区画壁８０の裏面側であって、第２普通変動入賞装置８３が設けられた部分には、開閉部材８３ａ，８３ａの駆動源などを上側から覆って遊技者から見えないようにするための囲い壁８３ｅが形成されている。
【０１１１】
以上のことから、透明区画壁８０に第２遊技領域７０を流下する遊技球が入賞可能な入賞装置（第２普通変動入賞装置８３）を設けたこととなる。
【０１１２】
また、表示ユニット１７３の画像表示面１７１には、第２特図変動表示器で実行される第２特図変動表示ゲームに対応する第２表示ゲームが表示されるようになっている。この第２特図変動表示ゲームに対応した第２表示ゲームの表示領域は、遊技盤１を構成する遊技盤裏面構成部材１１に形成された表示領域区画壁１６によって区画された領域であって、透明な材質からなる遊技盤本体１０を通して、その裏面側に配された表示ユニット１７３の画像表示面１７１を視認可能な領域となっている。すなわち、画像表示面１７１には、第１表示ゲームと第２表示ゲームがそれぞれ表示されるようになっている。なお、遊技機１００に第２特図変動表示器を備えずに、表示ユニット１７３のみで第２特図変動表示ゲームを実行するようにしても良い。
【０１１３】
また、第２遊技領域７０の底壁をなす下側の表示領域区画壁１６は、左右方向の中央部が上方へ突出した収容空間形成部１６ｃとされ、この収容空間形成部１６ｃの下方に第１普通変動入賞装置９の駆動源などを収容する収容空間が形成されるようになっている。そして、第２遊技領域７０の底壁をなす下側の表示領域区画壁１６は、左右から収容空間形成部１６ｃに向かって下る傾斜面とされ、この傾斜面の下流側端部となる収容空間形成部１６ｃの左右に隣接した部分の前側に位置する遊技盤本体１０には、前後に貫通する第２誘導路７２，７２が形成されている。この第２誘導路７２，７２が形成された部分の表示領域区画壁１６は、前側に向かって下る傾斜面となっており、第２遊技領域７０を流下した遊技球がこの第２誘導路７２，７２を通って第１遊技領域３へ戻るようになっている。
【０１１４】
以上のことから、第２遊技領域７０を流下した遊技球を第１遊技領域３に誘導する第２誘導路７２を遊技盤１に設けたこととなる。
【０１１５】
なお、第１普通変動入賞装置９は、第２遊技領域７０の底壁をなす下側の表示領域区画壁１６の下方に形成された収容空間に駆動源等が収容されるようになっている。よって、図６に示すように、第１普通変動入賞装置９と第２普通変動入賞装置８３は、前後に重ならないように配されることとなるが、これによってそれぞれの変動入賞装置への入賞を遊技機１００の前面側から視認可能となる。
【０１１６】
遊技盤裏面構成部材１１の裏面側であって、視認開口１５の下側には、取り付けベース４０が設けられている。この取り付けベース４０には、第１普通変動入賞装置９、大入賞口、一般入賞口、第２普通変動入賞装置８３などに入賞した遊技球を流下させる入賞球流路が設けられている。この入賞球流路は、遊技機１００の外部（島設備の回収樋）に連通する図示しない流路に接続するようになっている。この他に、取り付けベース４０には配線を中継する中継基板４２などが設けられている。また、この取り付けベース４０の裏面側から見て左側の端部には、上下方向に沿って延在する回動軸４１，４１が形成されており、演出データ装置３２を収納したボックス３２ａに形成された軸受け３２ｇ，３２ｇに嵌合することで、ボックス３２ａが左右方向に扉状に回動可能に軸支されるようになっている。
【０１１７】
さらに、演出データ装置３２を収納したボックス３２ａの裏面側には、左右方向に沿って延在する回動軸を備える支持部３２ｈ，３２ｈが形成されており、後述する遊技制御装置３０を収納したボックス３０ａに形成された軸受け（図示略）に嵌合することで、ボックス３０ａが上下方向に回動可能に軸支されるようになっている。また、遊技制御装置３０を収納したボックス３０ａを軸支する支持部３２ｈ，３２ｈの近傍には、ボックス３０ａが演出データ装置３２を収納したボックス３２ａの裏面に沿って配された状態、すなわちボックス３０ａが起立した状態を保持する保持部材３２ｉが設けられている。
【０１１８】
以上のことから、前面枠１２０と、該前面枠１２０側に着脱可能であり、透明な材質からなる遊技盤１と、前面枠１２０に開閉可能に設けられ、遊技盤１の前側を覆う透明部材（ガラス板１４１）を保持する透明部材保持枠１４０と、遊技盤１の後方に所定間隔離して配置され、遊技に関わる変動表示ゲーム（第１表示ゲーム、第２表示ゲーム）を実行する変動表示装置（表示ユニット１７３）と、を備え、遊技盤１の前方から変動表示装置の表示領域を視認可能とし、遊技盤１の前面には、遊技球の流下方向に変化を与える第１障害部材（第１障害釘１３，１３，…）を前方に延出して設け、遊技盤１の前面と透明部材（ガラス板１４１）の裏面との間に第１遊技領域３を形成した遊技機１００において、遊技盤１の裏面には、遊技球の流下方向に変化を与える第２障害部材（第２障害釘７４，７４，…）を後方に延出して設け、遊技盤１と変動表示装置の間には、遊技盤１と変動表示装置との間の領域を前後に区画する透明な材質からなる透明区画壁８０を設け、遊技盤１の裏面と透明区画壁８０の前面との間に第２遊技領域７０を形成し、第１遊技領域３から第２遊技領域７０へ遊技球を誘導可能な第１誘導路７１を遊技盤１に設けたこととなる。
【０１１９】
また、図２，５，７，１１に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置１９０による賞球または貸球の払い出しの制御と、発射装置６０による遊技球の発射の制御を行う排出発射制御装置３４（排出発射制御基板、排出発射制御回路）、電力を供給する電源供給装置３７（電源基板、電源回路）を備えている。
【０１２０】
遊技制御装置３０は、図１１に示すようにＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
【０１２１】
ＣＰＵ３０ｂは、制御部、演算部を備え、演算制御を行う他、第１特図変動表示ゲーム、第２特図変動表示ゲームの大当たり判定用乱数値などの各種乱数値なども生成している。ＲＡＭ３０ｃは、第１普通変動入賞装置９内に設けられた第１始動口センサ９ｂのオン信号、第２普通変動入賞装置８３内に設けられた第２始動口センサ８３ｂのオン信号などを記憶する記憶領域や、前記各種乱数値の記憶領域、並びに、ＣＰＵ３０ｂの作業領域等を備えている。ＲＯＭ３０ｄには、遊技上の制御プログラムや制御データが書き込まれている他、上述の各種乱数値に対応して、特図変動表示ゲームの大当り発生を判定するための特図変動表示ゲームの大当り判定値、変動パターン（リーチアクションの種類）の判定値などが記憶されている。
【０１２２】
また、入出力インタフェースには、ローパスフィルタ及びバッファーゲートを介して、第１普通変動入賞装置９の第１始動口センサ９ｂ、第２普通変動入賞装置８３の第２始動口センサ８３ｂ、大入賞口のカウントセンサ５１、一般入賞口の一般入賞口センサ５２、第１普図始動ゲート６の第１ゲートセンサ６ａ、第２普図始動ゲート８２の第２ゲートセンサ８２ｂなどが接続されており、これらからの各種信号が入力され、これら各種信号は、該入出力インタフェースにより中継されて、ＣＰＵ３０ｂに対し出力される。
さらに、入出力インタフェースには、ＣＰＵ３０ｂから出力される各種の制御信号が入力され、これら制御信号は、該入出力インタフェースにより中継されて、図示しない出力ポート及びドライバを介して、特別変動入賞装置４の駆動手段としての各種開閉ソレノイド（例えば、大入賞口ＳＯＬ５３）、演出制御装置３３、賞球の排出や遊技球の発射を制御する排出発射制御装置３４などに出力されている。
【０１２３】
演出データ装置３２は、演出の制御内容を記憶した制御ＲＯＭ３２ｃ、画像や映像データが記憶されたキャラクタＲＯＭ３２ｂ、音データが記憶された音声データＲＯＭ３２ｄを備えている。なお、この演出データ装置３２に備えられた各種ＲＯＭの記憶内容は、遊技機の機種に依存するものである。
また、演出データ装置３２は、遊技制御装置３０から出力される制御信号（各種コマンドなど）を中継して演出制御装置３３に送信するようになっている。なお、遊技制御装置３０と演出制御装置３３との間の通信において、演出データ装置３２は単に信号を通過させるのみ（スルー接続）となっている。
【０１２４】
また、演出データ装置３２には、盤装飾ランプ・ＬＥＤなどの遊技盤装飾装置５４を駆動する盤装飾ドライバを備えた盤装飾ドライバ基板３５が接続されており、演出制御装置３３が遊技制御装置３０から受信した制御信号（演出コマンド）に基づいて（遊技制御装置３０の制御の下に）この盤装飾ドライバ基板３５を制御し、盤装飾を行うようになっている。
【０１２５】
また、この演出データ装置３２と直接接続された演出制御装置３３は、制御装置としてのＣＰＵ３３ｂ、ＲＡＭ３３ｃや、表示ユニット１７３（液晶表示パネル１７５）における表示を制御する画像用メモリとしてのＲＡＭや、グラフィックプロセッサとしてのＶＤＰ３３ｄ（video display processor）、画像や映像データが記憶されたサブ画像ＲＯＭ３３ｅなどを含むビデオ回路、音の出力を制御する音声ＬＳＩ３３ｆ、音量を調節する音声ボリューム３３ｇを備えている。
また、前面枠１２０に設けられたランプ、ＬＥＤなどの前面枠１２０を装飾する枠装飾装置５７を駆動する枠装飾ドライバ３３ｈを備えている。さらに、表示ユニット１７３の液晶表示パネル１７５における表示状態を調節するための、輝度調節器３３ｉ、コントラスト調節器３３ｊ、表示位置調節器３３ｋが備えられている。
【０１２６】
演出制御装置３３は図示しない入出力インタフェースを有し、この入出力インタフェースにはローパスフィルタ及びバッファーゲートを介して、遊技制御装置３０、演出データ装置３２、遊技機の前面（例えば、上皿１５０ｃの周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
さらに、入出力インタフェースには、ＣＰＵ３３ｂから出力される各種の制御信号が入力され、これら制御信号は、該入出力インタフェースにより中継されて、図示しない出力ポート及びドライバを介して、演出データ装置３２、液晶表示パネル１７５のバックライト５６、枠装飾装置５７（枠装飾ドライバ３３ｈを介して）などに出力されている。なお、ＣＰＵ３３ｂから出力される制御信号のうち、画像の制御に関する制御信号は、ＣＰＵ３３ｂからＶＤＰ３３ｄに出力され、ＶＤＰ３３ｄから該制御信号に基づく画像データが液晶表示器５５に出力される。また、音声の制御に関する制御信号は、ＣＰＵ３３ｂから音声ＬＳＩ３３ｆに出力され、音声ＬＳＩ３３ｆから該制御信号に基づく音声データがスピーカ５８に出力される。
【０１２７】
そして、演出制御装置３３は、遊技制御装置３０から演出データ装置３２を介して受信した制御信号（演出コマンド）に基づいて（遊技制御装置３０の制御の下に）、枠装飾装置５７による枠装飾の制御、表示ユニット１７３に備えられる液晶表示パネル１７５（液晶表示器５５、バックライト５６）の制御、スピーカ５８による音の出力の制御を行う。さらに、遊技制御装置３０から演出データ装置３２を介して受信した制御信号（演出コマンド）に基づいて（遊技制御装置３０の制御の下に）演出データ装置３２に接続された盤装飾ドライバ基板３５を介して遊技盤装飾装置５４の制御を行う。
【０１２８】
排出発射制御装置３４は、ＣＰＵ、ＲＡＭ、ＲＯＭ等を有するマイクロコンピュータを有し、遊技制御装置３０からの制御信号（賞球コマンド）や、球貸機（図示略）からの制御信号（球貸しコマンド）に基づいて所要数の遊技球（賞球、貸球）を排出装置１９０から排出させる制御を行う。また、発射装置６０による遊技球の発射制御を行う。
そして、上述の各制御基板や、遊技機１００に備えられた各装置には、電源供給装置３７（電源回路、電源基板）から電力が供給されるようになっている。なお、演出データ装置３２への電源供給は演出制御装置３３を介して行われるようになっている。
【０１２９】
これらの制御回路においては、例えば以下のような制御が行われる。
遊技制御装置３０のＣＰＵ３０ｂでは、第１普通変動入賞装置９に備えられた第１始動口センサ９ｂからの遊技球の検出信号の入力に基づき、第１特図の大当たり判定用乱数値を抽出してＲＯＭ３０ｄに記憶されている判定値と比較し、第１特図変動表示ゲームの当たり外れを判定する処理を行う。また、この他に変動パターンの判定を行う処理などを行い、これらの結果を含む制御信号を、演出データ装置３２を介して演出制御装置３３に出力する。また、遊技制御装置３０のＣＰＵ３０ｂは、第２普通変動入賞装置８３に備えられた第２始動口センサ８３ｂからの遊技球の検出信号が入力された場合は、第１特図の場合と同様の処理を第２特図について行う。
【０１３０】
演出制御装置３３とこれに接続した演出データ装置３２では、遊技制御装置３０からの制御信号に基づき、表示ユニット１７３の液晶表示パネル１７５で第１特図変動表示ゲームに対応した第１表示ゲーム、第２特図変動表示ゲームに対応した第２表示ゲームを表示する処理や、スピーカ５８からの音の出力、ランプ、ＬＥＤなどの遊技盤装飾装置５４を制御する処理、ランプ、ＬＥＤなどの枠装飾装置５７を制御する処理を行う。そして、遊技制御装置３０のＣＰＵ３０ｂは、第１特図変動表示ゲームもしくは第２特図変動表示ゲームが大当たりであった場合に特別遊技状態を発生し、大入賞口ＳＯＬ５３により特別変動入賞装置４を動作する制御を行う。
【０１３１】
また、遊技制御装置３０のＣＰＵ３０ｂは、各種入賞口に設けられたセンサ（第１始動口センサ９ｂ、第２始動口センサ８３ｂ、カウントセンサ５１、一般入賞口センサ５２）から入力される遊技球の検出信号に基づき排出発射制御装置３４に制御信号を出力する。排出発射制御装置３４は、制御信号の入力に基づき排出装置１９０を制御して所定数の遊技球が払い出されるようにする。また、排出発射制御装置３４は、操作ハンドル１５０ｅの操作に基づく入力および操作ハンドル１５０ｅに設けられた図示しないタッチセンサからの入力に基づき、発射装置６０を制御して遊技球が第１遊技領域３に発射されるようにする。すなわち、以上のことから主制御回路をなす遊技制御装置３０は、遊技の進行を制御する遊技制御装置をなし、第１制御回路をなす演出データ装置３２と第２制御回路をなす演出制御装置３３とが遊技機１００における種々の演出を制御する演出制御装置をなす。
【０１３２】
そして、これらの各基板は以下のように遊技機に取り付けられている。
図２，７に示すように、画像表示面１７１における表示データなど、機種に依存するデータが記憶された演出データ装置３２は、ボックス３２ａに収納された状態で、遊技盤１の裏面側下方部に設けられた取り付けベース４０の裏面側であって、裏機構枠１６０の下縁からその下側に取り付けられている。このボックス３２ａの裏面側には、演出制御装置３３と接続するためのコネクタ部３２ｆ、遊技制御装置３０と接続するため（遊技制御装置３０と演出制御装置３３との間の中継のため）や、遊技盤装飾装置５４と接続するためのコネクタ部３２ｊが設けられている。さらに、ボックス３２ａの裏面側には、ボックス３０ａに収納された遊技を制御する遊技制御装置３０が取り付けられるようになっている。すなわち、ボックス３２ａの裏面は遊技制御装置３０を取り付けるための台座をなす。また、ボックス３２ａに隣設して、遊技機外部の装置（管理装置）と接続するための盤用外部出力端子２０６が設けられている。
【０１３３】
また、図２，５に示すように、複数の機種で共通使用可能な演出制御装置３３は、ボックス３３ａに収納された状態で前面枠本体１３０の裏面側に取り付けられた裏機構枠１６０に取り付けられている。なお、図３に示すように、ボックス３３ａの前側の下部には、コネクタ部３３ｍが、裏機構枠１６０の下縁から下方に突出するように設けられ、演出データ装置３２のコネクタ部３２ｆと接続することが可能となっており、これによって両者が直接接続されるようになっている。
【０１３４】
また、図２に示すように、排出装置１９０による賞球の排出、発射装置６０による遊技球の発射を制御する排出発射制御装置３４、遊技機１００内の各装置に電力を供給する電源回路としての電源供給装置３７は、それぞれボックス３４ａ、３７ａに収納された状態で、前面枠本体１３０の裏面側の遊技盤１より下側となる位置に取り付けられている。
【０１３５】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【０１３６】
ここで、表示ユニット１７３の前後位置調整について説明する。表示ユニット１７３の位置調整は、例えば、裏機構枠１６０を閉めた状態で遊技盤１を前面枠１２０にその前面側から取り付ける場合、もしくは、メンテナンスなどのために前面枠本体１３０に遊技盤１が取り付けられた状態で裏機構枠１６０を開放した状態から閉鎖した状態とする場合に行われる。
ここでは、一例として、裏機構枠１６０を閉鎖した状態で遊技盤１を前面枠１２０に取り付ける場合における表示ユニット１７３の位置調整について説明する。なお、すでに開口部から古い遊技盤１が取り外されており、裏機構枠１６０は、前面枠本体１３０の裏面側に表示ユニット１７３が臨む状態（閉鎖した状態）とされているものとする。また、遊技盤１の裏面側にある演出データ装置３２の裏面側に取り付けられた遊技制御装置３０を収納したボックス３０ａは、後方に回動し水平な状態となっているものとする。
【０１３７】
前面枠本体１３０の開口部の前面側から見て左側、すなわち、裏機構枠１６０が軸着された側には、遊技盤１の一側部を係止する係止部材（図示略）が設けられている。遊技盤１を開口部に取り付ける際には、まず、図１に示すように、開口部に対してその前側から、遊技盤１の一側部に設けられた被係止部２１をこの係止部材に係止させるように斜めに挿入する。そして、係止部材によって係止された側を軸として、遊技盤１を遊技機１００の後方側へ回動させながら開口部に嵌め込む。
【０１３８】
ここで、裏機構枠１６０に保持されている表示ユニット１７３は、表示ユニット収納部１６８内で前後移動可能に、かつ、表示ユニット付勢手段としての圧縮コイルばね１８２によって前方向に付勢された状態で収納されており、裏機構枠１６０を開放した状態では、被案内部１８の前面が案内部１６９の前端を形成するガイド部１６２に接する位置に配される。
【０１３９】
上述のように遊技盤１を後方側に回動させる過程において、遊技盤１の後方に突出する押圧部１７，１７，…は、その後端部に取り付けられた押圧部材１７ｂ，１７ｂ，…が表示ユニット１７３の前面における周縁をなす表示ユニットケース１７４に当接する。そして、遊技盤１を開口部に嵌め込むために、さらに後方側に回動させるのに伴い、表示ユニット１７３は、表示ユニット付勢手段としての圧縮コイルばね１８２の付勢力に抗して後方向へ押し込まれることとなる。
【０１４０】
ここで、遊技盤１は、係止部材によって係止された一側部を軸として回動するので、
遊技盤裏面構成部材１１の裏面に設けられた押圧部１７，１７，…のうち、裏面側から見て右側、すなわち遊技盤１の回動軸に近い側に設けられた押圧部１７，１７が先に表示ユニット１７３の前面に当接する。より詳しくは、遊技盤１の回動軸に近い側にある押圧部１７の後端部に取り付けられた押圧部材１７ｂに設けられたローラ２０が、表示ユニット１７３の前面における周縁をなす表示ユニットケース１７４に当接する。表示ユニット１７３は、表示ユニット収納部１６８内で若干傾斜した状態（表示ユニット１７３が裏機構枠１６０の左右方向と非平行状態）となることが可能であり、押圧部１７（ローラ２０）が当接した側が、より後方向に押し込まれるように傾斜した状態で移動する。
【０１４１】
遊技盤１を回動させる過程において、遊技盤１の回動軸に近い側に設けられた押圧部１７は、表示ユニット１７３の前面にローラ２０が当接した状態で、表示ユニット１７３を後方へ押圧しつつ、左右方向に沿って移動することとなる。この際、ローラ２０が回転することにより、円滑に移動することが可能となっている。
【０１４２】
また、遊技盤１は回動させることで徐々に遊技機１００の左右方向に沿うようになるが、この過程において、ローラ２０以外に押圧部材１７ｂも表示ユニット１７３の前面に当接し、表示ユニット１７３を後方へ押圧しつつ、左右方向に沿って移動することとなる。この際、押圧部材１７ｂが摩擦係数の低い材質からなることから円滑に移動することが可能となっている。
【０１４３】
また、遊技盤１を回動させる過程において、表示ユニット１７３は表示ユニット収納部１６８内で後方へ移動することとなるが、この表示ユニット１７３は、上述したように上下側面に設けられた被案内部１８，１８，…が、表示ユニット収納部１６８に形成された案内部１６９，１６９，…に案内されることで前後方向に沿って移動可能となっている。そして、この被案内部１８，１８，…が、摩擦係数の低い材質からなる被案内部材１８ａによって形成されており、案内部１６９，１６９，…の内壁に接する左右方向外側が曲面形状に形成されていることと、表示ユニット１７３の下部側面に設けられた被案内部１８，１８の下面にローラが設けられていることから、円滑に前後移動することが可能となっている。また、表示ユニット１７３は、表示ユニット付勢手段（圧縮コイルばね１８２）によって前側に付勢されているので、前面が押圧部１７の後端部に設けられた押圧部材１７ｂに密着し、遊技盤１と所定の間隔を維持したまま後方へ押圧されることとなる。
【０１４４】
遊技盤１が完全に開口部に嵌め込まれた状態では、遊技機１００の左右方向に平行な状態となる。また、表示ユニット１７３の傾斜も、遊技盤１を回動させることで徐々に遊技機１００の左右方向に沿うようになる。このように、遊技盤１が完全に開口部に嵌め込まれた状態では、表示ユニット１７３の前面が押圧部１７の後端部に設けられた押圧部材１７ｂに面接触する。各押圧部１７の後端部に設けられた押圧部材１７ｂの後端面は、同じ前後位置となっており、表示ユニット１７３は遊技盤１と平行に配される。
【０１４５】
また、表示ユニット１７３は、表示ユニット付勢手段（圧縮コイルばね１８２）によって前側に付勢され、前面が押圧部１７の後端部に設けられた押圧部材１７ｂに密着し、遊技盤１と所定の間隔を維持した状態で保持される。すなわち、遊技盤１と表示ユニット１７３の間には所定間隔を有する空間部が形成された状態となる。また、このときの表示ユニット１７３の前後位置が遊技機１００の使用時における前後位置となる。なお、表示領域区画壁１６の後方突出量は、押圧部１７の後方突出量よりも少なく、表示ユニット１７３の前面に当接はしないが、近接した位置に配されるようになる。
【０１４６】
遊技盤１を後方に回動させることで、遊技盤１の裏面に取り付けられた演出データ装置３２のコネクタ部３２ｆと、裏機構枠１６０の下方に延出した演出制御装置３３のコネクタ部３３ｍが接続され、演出データ装置３２と演出制御装置３３が直接接続される。また、演出データ装置３２の裏面側に取り付けられた遊技制御装置３０は、裏機構枠１６０の下方をくぐり、裏機構枠１６０の裏面側に至る。
【０１４７】
遊技盤１を開口部に嵌め込んだ状態としたら、開口部の前面側から見て右側に設けられた固定部材（図示略）を被固定部２２に係合させ遊技盤１を固定する。
【０１４８】
また、図７に示すように後方に回動した状態の遊技制御装置３０を前方向に回動させて図２に示すように起立した状態とし、裏機構枠１６０の裏面側下部に形成された凹部に収納する。このとき、遊技制御装置３０を前方側に押圧するので、遊技制御装置３０の前方に位置する演出制御装置３３と演出データ装置３２の接続部（コネクタ部３３ｍとコネクタ部３２ｆの接続部）も同時に押圧され、両者の接続が補助される（接続が完全でない場合などはこの動作で押し込まれる）。そして、保持部材３２ｉによって遊技制御装置３０が起立した状態を保持するようにする。さらに、各種配線などを接続して遊技盤１の取付が完了する。
【０１４９】
なお、本実施形態の遊技機１００では、裏機構枠１６０を開閉可能としたが、前面枠１２０に遊技盤１を前側から取り付ける構成の場合は、開閉できない裏機構枠１６０であってもよい。ただし、前面枠本体１３０に対しては着脱自在な構成とする。
また、裏機構枠１６０を別途設けずに、前面枠本体１３０の裏面側に案内部１６９，１６９，…を形成するようにしても良い。
【０１５０】
また、本実施形態の遊技機１００では、前面枠１２０に遊技盤１を前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７３の位置調整が行われることとなる。また、本実施形態のように遊技盤１を前側から取り付ける構成であっても、メンテナンス等の場合に裏機構枠１６０を開放した場合は、再び裏機構枠１６０を閉鎖する際に表示ユニット１７３の位置調整が行われることとなる。
このように、前面枠本体１３０に遊技盤１が取り付けられた状態で裏機構枠１６０を開放した状態から閉鎖した状態とする場合でも、遊技盤１と裏機構枠１６０は、相対的に上述の場合と略同じ動作をすることとなり、上述と同様に表示ユニット１７３の位置調整がなされる。
【０１５１】
すなわち、遊技盤１を前面枠１２０に取り付けることにより、遊技盤１の裏面が裏機構枠１６０に備えられた表示ユニット１７３の前面に臨む状態となる場合や、前面枠１２０に取り付けられた遊技盤１の裏面側を開放した状態から閉鎖した状態にする場合のように、表示ユニット１７３が遊技盤１の後方に位置づけられる際に、表示ユニット１７３の位置調整がなされる。
【０１５２】
また、被案内部材（上下）１８ａ，１８ａ，…の外側にもローラを横向きに設け、被案内部１８，１８，…が案内部１６９，１６９，…の外側壁に接触した場合にローラで転がるようにしても良い。
【０１５３】
次に、以上のような構成を有する遊技機１００における遊技について説明する。
第１遊技領域３内に打ち込まれた遊技球が、第１普図始動ゲート６内を通過すると、図示しない第１普図変動表示器において第１普図変動表示ゲームが行われる。ここで、第１普図変動表示器は、例えば、ＬＥＤなどによって構成され、第１普通図柄（例えば、数字、記号、キャラクタ図柄など）変動表示ゲームは、第１普図変動表示器の点灯状態を所定時間変動表示させた後、停止表示させることにより行うようになっている。なお、表示ユニット１７３表示領域の一部で第１普図変動表示ゲームを表示するようにしても良い。
【０１５４】
この第１普図変動表示ゲームの結果、第１普図変動表示器における停止表示が特別の結果態様となれば、第１普図の当たりとなって、第１普通変動入賞装置９の開閉部材９ａ，９ａが所定時間（例えば、０.５秒間）開放される。これにより、第１普通変動入賞装置９に遊技球が入賞しやすくなり、第１特図変動表示ゲームの始動が容易となる。なお、この第１普図変動表示ゲームの当り確率は１／１０となっている。
【０１５５】
そして、第１遊技領域３内に打ち込まれた遊技球が第１特図始動口を兼ねる第１普通変動入賞装置９へ進入して始動条件が成立することに基づき、第１特図変動表示器において第１特図変動表示ゲームを実行可能となっている。また、画像表示面１７１にて複数種類の識別情報（例えば、数字、記号、キャラクタ図柄など）を変動表示させる第１特図変動表示ゲームに対応した第１表示ゲームを実行可能となっている。なお、この第１表示ゲームは、画像表示面１７１において、複数種類の識別情報を所定時間変動表示させることにより行う。
【０１５６】
第１特図変動表示ゲームの結果として、第１特図変動表示器の表示態様が特別結果態様（たとえば「７」）となった場合には、大当たりとなって特別遊技状態（いわゆる、大当たり状態）となる。また、これに対応して画像表示面１７１の表示態様も特別結果態様（例えば、「７，７，７」等のゾロ目数字の何れか）となる。なお、この第１特図変動表示ゲームの当り確率は１／３８０となっている。
【０１５７】
一方、第２遊技領域７０でも上述のような遊技が行われるようになっている。すなわち、第１遊技領域３から第１誘導路７１を通って第２遊技領域７０に至った遊技球が第２普図始動ゲート８２内を通過すると、図示しない第２普図変動表示器において第２普図変動表示ゲームが行われる。ここで、第２普図変動表示器は、例えば、ＬＥＤなどによって構成され、第２普通図柄（例えば、数字、記号、キャラクタ図柄など）変動表示ゲームは、第２普図変動表示器の点灯状態を所定時間変動表示させた後、停止表示させることにより行うようになっている。なお、表示ユニット１７３表示領域の一部で第２普図変動表示ゲームを表示するようにしても良い。
【０１５８】
この第２普図変動表示ゲームの結果、第２普図変動表示器における停止表示が特別の結果態様となれば、第２普図の当たりとなって、第２普通変動入賞装置８３の開閉部材８３ａ，８３ａが所定時間（例えば、０.５秒間）開放される。これにより、第２普通変動入賞装置８３に遊技球が入賞しやすくなり、第２特図変動表示ゲームの始動が容易となる。なお、この第２普図変動表示ゲームの当り確率は１／１０となっている。
【０１５９】
そして、第２遊技領域７０に至った遊技球が第２特図始動口を兼ねる第２普通変動入賞装置８３へ進入して始動条件が成立することに基づき、第２特図変動表示器において第２特図変動表示ゲームを実行可能となっている。また、画像表示面１７１にて複数種類の識別情報（例えば、数字、記号、キャラクタ図柄など）を変動表示させる第２特図変動表示ゲームに対応した第２表示ゲームを実行可能となっている。なお、この第２表示ゲームも、画像表示面１７１において、複数種類の識別情報を所定時間変動表示させることにより行う。すなわち、画像表示面１７１には、第１表示ゲームと第２表示ゲームがそれぞれ表示されるようになっている。
【０１６０】
第２特図変動表示ゲームの結果として、第２特図変動表示器の表示態様が特別結果態様（たとえば「７」）となった場合には、大当たりとなって特別遊技状態（いわゆる、大当たり状態）となる。また、これに対応して画像表示面１７１の表示態様も特別結果態様（例えば、「７，７，７」等のゾロ目数字の何れか）となる。なお、この第２特図変動表示ゲームの当り確率は１／３８０となっている。
【０１６１】
また、第２遊技領域７０において第２普通変動入賞装置８３に入賞しなかった遊技球は、第２遊技領域７０の底壁をなす下側の表示領域区画壁１６上に至り、その傾斜に沿って左右方向の中央に形成された収容空間形成部１６ｃに向かって下る。そして、収容空間形成部１６ｃに隣接した位置に形成された、前側へ向かって下る傾斜に沿って前方向へ誘導され、ここに形成された第２誘導路７２，７２から第１遊技領域へ戻る。
【０１６２】
また、第１特図変動表示ゲームもしくは第２特図変動表示ゲームの結果が特別結果態様となった場合に実行される特別遊技状態では、特別変動入賞装置４の開閉扉４ａを開放することで、大入賞口を閉じた状態から開いた状態に変換し、大入賞口内への遊技球の流入を容易にさせるサイクル遊技が、１６ラウンドを限度に行われるようになっている。なお、第２誘導路７２，７２が特別変動入賞装置４の上部に位置することから、第２遊技領域７０を流下した遊技球も大入賞口に入賞可能となっている。
【０１６３】
なお、普図や特図の変動表示ゲームの当り確率はこれに限られるものではない。
また、第１特図変動表示ゲームの結果が特別結果態様となった場合に実行される特別遊技状態を第１特別遊技状態とし、第２特図変動表示ゲームの結果が特別結果態様となった場合に実行される特別遊技状態を第２特別遊技状態として、第１特別遊技状態と第２特別遊技状態とで実行可能なラウンド数などを異なるものとしても良い。
【０１６４】
また、第１特図変動表示ゲームもしくは第２特図変動表示ゲームの結果が特別結果態様となった場合に実行される特別遊技状態で開放される特別変動入賞装置を共通のものとしたがこれに限られるものではない。例えば、第１特別遊技状態において開放される特別変動入賞装置と、第２特別遊技状態において開放される特別変動入賞装置を別々に設けても良く、その配設位置も遊技領域内であれば任意の位置に設けてよい。また、第１普通変動入賞装置９と第２普通変動入賞装置８３は上下に並んで配設されているとしたが、その配設位置も遊技領域内であれば任意の位置に設けて良い。
【０１６５】
また、第２遊技領域７０を第１遊技領域３から画像表示面１７１を視認可能な領域を区画する表示領域区画壁１６内に設けたが、これに限られるものではなく、第１遊技領域３と同じ大きさとなるように構成しても良いし、第１遊技領域３よりも大きくなるように構成しても良い。例えば、第１遊技領域３内において発射球を上方へ誘導する発射球案内路の裏面を第２遊技領域７０として利用しても良い。
【０１６６】
また、第２遊技領域７０を流下した遊技球を第１遊技領域３に戻し、１つのアウト口７でアウト球を回収するようにしたが、第２遊技領域７０にもアウト口を設けて、第１遊技領域３と第２遊技領域７０のそれぞれでアウト球を回収するようにしても良い。
また、第２遊技領域７０にのみアウト口を設け、第１遊技領域３を流下した遊技球をすべて第２遊技領域７０に誘導するような構成としても良い。
【０１６７】
以上のような遊技機は、前面枠１２０と、該前面枠１２０側に着脱可能であり、透明な材質からなる遊技盤１と、前面枠１２０に開閉可能に設けられ、遊技盤１の前側を覆う透明部材（ガラス板１４１）を保持する透明部材保持枠１４０と、遊技盤１の後方に所定間隔離して配置され、遊技に関わる変動表示ゲーム（第１表示ゲーム、第２表示ゲーム）を実行する変動表示装置（表示ユニット１７３）と、を備え、遊技盤１の前方から変動表示装置の表示領域を視認可能とし、遊技盤１の前面には、遊技球の流下方向に変化を与える第１障害部材（第１障害釘１３，１３，…）を前方に延出して設け、遊技盤１の前面と透明部材（ガラス板１４１）の裏面との間に第１遊技領域３を形成した遊技機１００であって、遊技盤１の裏面には、遊技球の流下方向に変化を与える第２障害部材（第２障害釘７４，７４，…）を後方に延出して設け、遊技盤１と変動表示装置の間には、遊技盤１と変動表示装置との間の領域を前後に区画する透明な材質からなる透明区画壁８０を設け、遊技盤１の裏面と透明区画壁８０の前面との間に第２遊技領域７０を形成し、第１遊技領域３から第２遊技領域７０へ遊技球を誘導可能な第１誘導路７１を遊技盤１に設けている。
【０１６８】
したがって、透明な材質からなる遊技盤１の前面には、遊技球の流下方向に変化を与える第１障害部材を前方に延出して設けて第１遊技領域３を形成し、遊技盤１の裏面には、遊技球の流下方向に変化を与える第２障害部材を後方に延出して設けて第２遊技領域７０を形成したので、遊技領域を広くすることができる。
また、遊技盤１の表側と裏側とでそれぞれ別の遊技球の流下態様を遊技者に見せることができ、遊技の興趣を向上させることができる。
また、遊技盤１と変動表示装置の間には、遊技盤１と変動表示装置との間の領域を前後に区画する透明な材質からなる透明区画壁８０を設けたので、透明区画壁８０に障害部材や装飾部材などを設けることもでき、第２遊技領域７０をより興趣の高いものにすることができる。
【０１６９】
また、遊技盤１は、該遊技盤１の裏面側から変動表示装置（表示ユニット１７３）側へ向けて延出され、変動表示装置の前方の視認領域を区画する視認領域区画壁（表示領域区画壁１６）を設け、第２遊技領域７０は、遊技盤１の裏面と透明区画壁８０と視認領域区画壁とで区画された領域となっている。
【０１７０】
したがって、遊技盤１の裏面側から変動表示装置側へ向けて延出され、変動表示装置の前方の視認領域を区画する視認領域区画壁を設け、遊技盤１の裏面と透明区画壁８０と視認領域区画壁とで区画された領域を第２遊技領域７０としたので、視認領域区画壁と第２遊技領域７０における上下左右の遊技領域区画壁を兼用でき、構成を簡略化することができる。
【０１７１】
また、透明区画壁８０に第２遊技領域７０を流下する遊技球が入賞可能な入賞装置（第２普通変動入賞装置８３）を設けている。
【０１７２】
したがって、透明区画壁８０に第２遊技領域７０を流下する遊技球が入賞可能な入賞装置を設けたので、第２遊技領域７０における興趣を向上させることができる。
また、入賞装置の取付ベース８３ｃが第２障害部材（第２障害釘７４，７４，…）と干渉しないので、入賞装置の取付位置の自由度が増す。そして例えば、取付ベース８３ｃと第２障害部材を前後に重なるように配置することにより、変動表示装置の視認領域を広げることができる。
【０１７３】
また、第２遊技領域７０を流下した遊技球を第１遊技領域３に誘導する第２誘導路７２を遊技盤１に設けている。
【０１７４】
したがって、第２遊技領域７０を流下した遊技球を第１遊技領域３に誘導する第２誘導路７２を設けたので、第１遊技領域３に設けた１つのアウト口７でアウトになった遊技球を確認でき、遊技機１００の構成を簡略化することができる。
また、第２誘導路の下方に大入賞口を設けた場合には、第２遊技領域を流下する遊技球も効率よく大入賞口に入賞させることができる。
【０１７５】
また、第１障害部材（第１障害釘１３，１３，…）を遊技盤１の前面から裏面に貫通させて第２遊技領域７０に突出させ、第２障害部材（第２障害釘７４，７４，…）を形成している。
【０１７６】
したがって、第１障害部材を遊技盤１の前面から裏面に貫通させて第２遊技領域７０に突出させ、第２障害部材を形成したので、第１障害部材を配設する作業を行うことで、同時に第２障害部材も配設でき、障害部材の配設作業を軽減できる。
また、第１障害部材と第２障害部材が前後に重なって配設されることとなるので、変動表示装置の視認領域を狭めることがない。
【０１７７】
また、第２障害部材（第２障害釘７４，７４，…）は、遊技盤１の前面から裏面に貫通させて第２遊技領域７０に突出させ、第１遊技領域３には突出しないようにしている。
【０１７８】
したがって、第２障害部材は、遊技盤１の前面から裏面に貫通させて第２遊技領域７０に突出させ、第１遊技領域３には突出しないようにしたので、遊技盤１の前面側から第１障害部材と第２障害部材を打ち込むことができ、障害部材の配設作業を軽減できる。
【０１７９】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１８０】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８１】
【図１】本発明を適用した一実施の形態の構成を示す遊技機の前面側を示す図であって、透明部材保持枠、遊技盤を前方に回動させた状態を示す斜視図である。
【図２】遊技機の裏面側を示す斜視図である。
【図３】裏機構枠の前面側を示す斜視図である。
【図４】裏機構枠の前面側を示す分解斜視図である。
【図５】裏機構枠の裏面側を示す分解斜視図である。
【図６】遊技盤の正面図である。
【図７】遊技盤の裏面側を示す斜視図である。
【図８】（ａ）透明区画壁の前面側から見た斜視図、（ｂ）透明区画壁の裏面側から見た斜視図である。
【図９】遊技盤の側部断面図である。
【図１０】障害部材の配設方向の変形例を示す図である。
【図１１】遊技機の制御系の一部を示すブロック図である。
【符号の説明】
【０１８２】
１      遊技盤
３      第１遊技領域
７      アウト口
１３    第１障害釘（第１障害部材）
１６    表示領域区画壁（視認領域区画壁）
７０    第２遊技領域
７１    第１誘導路
７２    第２誘導路
７４    第２障害釘（第２障害部材）
８０    透明区画壁
８３    第２普通変動入賞装置（入賞装置）
１００  遊技機
１２０  前面枠
１４０  透明部材保持枠
１４１  ガラス板（透明部材）
１７３  表示ユニット（変動表示装置）
【図１】
0004749182.tif 000002
【図２】
0004749182.tif 000003
【図３】
0004749182.tif 000004
【図４】
0004749182.tif 000005
【図５】
0004749182.tif 000006
【図６】
0004749182.tif 000007
【図７】
0004749182.tif 000008
【図８】
0004749182.tif 000009
【図９】
0004749182.tif 000010
【図１０】
0004749182.tif 000011
【図１１】
0004749182.tif 000012